(57)【特許請求の範囲】
【請求項１】
受信局において行われる希望信号に重畳した干渉信号を抑圧する干渉抑圧方法において、
自局に到来した信号を送信した送信源を、自局の通信相手である送信局の送信に基づく希望信号に重畳する干渉信号を送信する可能性がある抑圧対象の送信源と可能性がない抑圧対象外の送信源とに識別する識別ステップと、
自局に到来した信号に基づいて当該信号の特徴量を取得する特徴量取得ステップと、
前記識別ステップで抑圧対象と識別された送信源と、前記特徴量取得ステップで当該送信源から送信された信号に基づいて取得された特徴量とを対応付けて複数記憶する記憶ステップと、
自局に希望信号を含む受信信号が到来すると、抑圧対象の送信源に識別された送信源と対応付けられた特徴量の中から選択された特徴量に基づいて、前記受信信号から前記希望信号に重畳した干渉信号の抑圧を行う干渉抑圧ステップと、
を有し、
自局に到来した信号の到来タイミングが、自局が属するネットワークでの送信禁止期間内であるか否かを判断する判断ステップを更に有し、
前記識別ステップは、前記判断ステップにおいて前記到来タイミングが前記送信禁止期間内であると判断された場合、前記到来した信号を送信した送信源を抑圧対象の送信源に識別する
ことを特徴とする干渉抑圧方法。
【請求項２】
前記送信禁止期間は、ＩＦＳ（Inter Frame Space）に基づく期間であることを特徴とする請求項１記載の干渉抑圧方法。
【請求項３】
受信局において行われる希望信号に重畳した干渉信号を抑圧する干渉抑圧方法において、
自局に到来した信号を送信した送信源を、自局の通信相手である送信局の送信に基づく希望信号に重畳する干渉信号を送信する可能性がある抑圧対象の送信源と可能性がない抑圧対象外の送信源とに識別する識別ステップと、
自局に到来した信号に基づいて当該信号の特徴量を取得する特徴量取得ステップと、
前記識別ステップで抑圧対象と識別された送信源と、前記特徴量取得ステップで当該送信源から送信された信号に基づいて取得された特徴量とを対応付けて複数記憶する記憶ステップと、
自局に希望信号を含む受信信号が到来すると、抑圧対象の送信源に識別された送信源と対応付けられた特徴量の中から選択された特徴量に基づいて、前記受信信号から前記希望信号に重畳した干渉信号の抑圧を行う干渉抑圧ステップと、
を有し、
自局に到来した信号の到来タイミングが、自局が希望信号を受信する可能性のある干渉測定禁止期間内であるか否かを判断する判断ステップを更に有し、
前記識別ステップは、前記判断ステップにおいて前記到来タイミングが前記干渉測定禁止期間内であると判断された場合、到来した信号を送信した送信源を抑圧対象外の送信源に識別する
ことを特徴とする干渉抑圧方法。
【請求項４】
受信局において行われる希望信号に重畳した干渉信号を抑圧する干渉抑圧方法において、
自局に到来した信号を送信した送信源を、自局の通信相手である送信局の送信に基づく希望信号に重畳する干渉信号を送信する可能性がある抑圧対象の送信源と可能性がない抑圧対象外の送信源とに識別する識別ステップと、
自局に到来した信号に基づいて当該信号の特徴量を取得する特徴量取得ステップと、
前記識別ステップで抑圧対象と識別された送信源と、前記特徴量取得ステップで当該送信源から送信された信号に基づいて取得された特徴量とを対応付けて複数記憶する記憶ステップと、
自局に希望信号を含む受信信号が到来すると、抑圧対象の送信源に識別された送信源と対応付けられた特徴量の中から選択された特徴量に基づいて、前記受信信号から前記希望信号に重畳した干渉信号の抑圧を行う干渉抑圧ステップと、
を有し、
自局に到来した信号から所定のパターンの信号波形のシンボルを含むプリアンブル信号を検出する検出ステップを更に有し、
前記識別ステップは、前記検出ステップにおいて前記プリアンブル信号を検出できなかった場合、前記到来した信号を送信した送信源を抑圧対象の送信源に識別する
ことを特徴とする干渉抑圧方法。
【請求項５】
自局に到来した信号に含まれる当該信号を送信した送信源が属するネットワークを示すネットワーク識別子と自局が属するネットワークを示すネットワーク識別子とを比較する比較ステップを更に有し、
前記検出ステップにおいて前記プリアンブル信号を検出した場合、前記識別ステップは、前記比較ステップにおける比較の結果、両者が一致すれば前記到来した信号を送信した送信源を抑圧対象外の送信源に識別し、両者が一致しなければ前記到来した信号を送信した送信源を抑圧対象の送信源に識別する
ことを特徴とする請求項４記載の干渉抑圧方法。
【請求項６】
前記ネットワークを示すネットワーク識別子は、ＢＳＳＩＤ（Basic Service SetIdentification）であることを特徴とする請求項５記載の干渉抑圧方法。
【請求項７】
受信局において行われる希望信号に重畳した干渉信号を抑圧する干渉抑圧方法において、
自局に到来した信号を送信した送信源を、自局の通信相手である送信局の送信に基づく希望信号に重畳する干渉信号を送信する可能性がある抑圧対象の送信源と可能性がない抑圧対象外の送信源とに識別する識別ステップと、
自局に到来した信号に基づいて当該信号の特徴量を取得する特徴量取得ステップと、
前記識別ステップで抑圧対象と識別された送信源と、前記特徴量取得ステップで当該送信源から送信された信号に基づいて取得された特徴量とを対応付けて複数記憶する記憶ステップと、
自局に希望信号を含む受信信号が到来すると、抑圧対象の送信源に識別された送信源と対応付けられた特徴量の中から選択された特徴量に基づいて、前記受信信号から前記希望信号に重畳した干渉信号の抑圧を行う干渉抑圧ステップと、
を有し、
自局に到来した信号に含まれる送信源を示す送信源識別子に基づいて、以前に自局に到来した各信号の送信源を示す送信源識別子を列挙した第１周辺端末リストを作成するリスト作成ステップと、
前記送信局に以前に到来した各信号の送信源を示す送信源識別子を列挙した第２周辺端末リストを当該送信局から取得するリスト取得ステップと、
を更に有し、
前記識別ステップは、前記第１周辺端末リストと前記第２周辺端末リストとに基づいて、自局に到来した信号を送信した送信源を抑圧対象外の送信源と抑圧対象の送信源とに識別する
ことを特徴とする干渉抑圧方法。
【請求項８】
前記識別ステップは、前記第１周辺端末リストと前記第２周辺端末リストとの双方に列挙された送信源識別子の送信源を抑圧対象外の送信源に識別する
ことを特徴とする請求項７記載の干渉抑圧方法。
【請求項９】
前記識別ステップは、前記第１周辺端末リストに列挙されているが、前記第２周辺端末リストには列挙されていない送信源識別子の送信源を抑圧対象の送信源に識別する
ことを特徴とする請求項７記載の干渉抑圧方法。
【請求項１０】
前記リスト取得ステップは、前記送信局から送信される前記第２周辺端末リストの内容を含む信号を受信し、当該信号から当該第２周辺端末リストの内容を読み出す
ことを特徴とする請求項７記載の干渉抑圧方法。
【請求項１１】
前記リスト取得ステップは、
前記送信局に対して前記第２周辺端末リストを要求する要求信号を送信するリスト要求ステップと、
前記リスト要求ステップにおいて送信された前記要求信号に対する応答として前記第２周辺端末リストの内容を含む応答信号を受信し、当該応答信号から当該第２周辺端末リストの内容を読み出す
ことを特徴とする請求項７記載の干渉抑圧方法。
【請求項１２】
前記リスト要求ステップは、前記要求信号の送信を、２個のＣＴＳ（Clear To Send）フレームを連続して前記送信局へ送信することにより行う
ことを特徴とする請求項１１記載の干渉抑圧方法。
【請求項１３】
希望信号に重畳した干渉信号を抑圧する干渉抑圧装置において、
自装置を備えた受信局に到来した信号を送信した送信源を、自装置の通信相手である送信局の送信に基づく希望信号に重畳する干渉信号を送信する可能性がある抑圧対象の送信源と可能性がない抑圧対象外の送信源とに識別する識別手段と、
自局に到来した信号に基づいて当該信号の特徴量を取得する特徴量取得手段と、
前記識別手段で抑圧対象と識別された送信源と、前記特徴量取得手段で当該送信源から送信された信号に基づいて取得された特徴量とを対応付けて複数記憶する記憶手段と、
自局に希望信号を含む受信信号が到来すると、抑圧対象の送信源に識別された送信源と対応付けられた特徴量の中から選択した特徴量に基づいて、前記受信信号から前記希望信号に重畳した干渉信号の抑圧を行う干渉抑圧手段と、
を備え、
自局に到来した信号の到来タイミングが、自局が属するネットワークでの送信禁止期間内であるか否かを判断する判断手段を更に備え、
前記識別手段は、前記判断手段によって前記到来タイミングが前記送信禁止期間内であると判断された場合、前記到来した信号を送信した送信源を抑圧対象の送信源に識別する
ことを特徴とする干渉抑圧装置。
【請求項１４】
希望信号に重畳した干渉信号を抑圧する干渉抑圧装置において、
自装置を備えた受信局に到来した信号を送信した送信源を、自装置の通信相手である送信局の送信に基づく希望信号に重畳する干渉信号を送信する可能性がある抑圧対象の送信源と可能性がない抑圧対象外の送信源とに識別する識別手段と、
自局に到来した信号に基づいて当該信号の特徴量を取得する特徴量取得手段と、
前記識別手段で抑圧対象と識別された送信源と、前記特徴量取得手段で当該送信源から送信された信号に基づいて取得された特徴量とを対応付けて複数記憶する記憶手段と、
自局に希望信号を含む受信信号が到来すると、抑圧対象の送信源に識別された送信源と対応付けられた特徴量の中から選択した特徴量に基づいて、前記受信信号から前記希望信号に重畳した干渉信号の抑圧を行う干渉抑圧手段と、
を備え、
自局に到来した信号の到来タイミングが、自局が希望信号を受信する可能性のある干渉測定禁止期間内であるか否かを判断する判断手段を更に有し、
前記識別手段は、前記判断手段によって前記到来タイミングが前記干渉測定禁止期間内であると判断された場合、到来した信号を送信した送信源を抑圧対象外の送信源に識別する
ことを特徴とする干渉抑圧装置。
【請求項１５】
希望信号に重畳した干渉信号を抑圧する干渉抑圧装置において、
自装置を備えた受信局に到来した信号を送信した送信源を、自装置の通信相手である送信局の送信に基づく希望信号に重畳する干渉信号を送信する可能性がある抑圧対象の送信源と可能性がない抑圧対象外の送信源とに識別する識別手段と、
自局に到来した信号に基づいて当該信号の特徴量を取得する特徴量取得手段と、
前記識別手段で抑圧対象と識別された送信源と、前記特徴量取得手段で当該送信源から送信された信号に基づいて取得された特徴量とを対応付けて複数記憶する記憶手段と、
自局に希望信号を含む受信信号が到来すると、抑圧対象の送信源に識別された送信源と対応付けられた特徴量の中から選択した特徴量に基づいて、前記受信信号から前記希望信号に重畳した干渉信号の抑圧を行う干渉抑圧手段と、
を備え、
自局に到来した信号から所定のパターンの信号波形のシンボルを含むプリアンブル信号を検出する検出手段を更に有し、
前記識別手段は、前記検出手段によって前記プリアンブル信号を検出できなかった場合、前記到来した信号を送信した送信源を抑圧対象の送信源に識別する
ことを特徴とする干渉抑圧装置。
【請求項１６】
希望信号に重畳した干渉信号を抑圧する干渉抑圧装置において、
自装置を備えた受信局に到来した信号を送信した送信源を、自装置の通信相手である送信局の送信に基づく希望信号に重畳する干渉信号を送信する可能性がある抑圧対象の送信源と可能性がない抑圧対象外の送信源とに識別する識別手段と、
自局に到来した信号に基づいて当該信号の特徴量を取得する特徴量取得手段と、
前記識別手段で抑圧対象と識別された送信源と、前記特徴量取得手段で当該送信源から送信された信号に基づいて取得された特徴量とを対応付けて複数記憶する記憶手段と、
自局に希望信号を含む受信信号が到来すると、抑圧対象の送信源に識別された送信源と対応付けられた特徴量の中から選択した特徴量に基づいて、前記受信信号から前記希望信号に重畳した干渉信号の抑圧を行う干渉抑圧手段と、
を備え、
自局に到来した信号に含まれる送信源を示す送信源識別子に基づいて、以前に自局に到来した各信号の送信源を示す送信源識別子を列挙した第１周辺端末リストを作成するリスト作成手段と、
前記送信局に以前に到来した各信号の送信源を示す送信源識別子を列挙した第２周辺端末リストを当該送信局から取得するリスト取得手段と、
を更に有し、
前記識別手段は、前記第１周辺端末リストと前記第２周辺端末リストとに基づいて、自局に到来した信号を送信した送信源を抑圧対象外の送信源と抑圧対象の送信源とに識別する
ことを特徴とする干渉抑圧装置。
【発明の詳細な説明】
【技術分野】
【０００１】
本発明は、希望信号に重畳した干渉信号を当該干渉信号の特徴量に基づいて抑圧する技術に関する。
【背景技術】
【０００２】
無線ＬＡＮ（Local Area Network）システム及びデジタルセルラ通信システムなどの無線通信システムでは、複数の無線局が所定の周波数帯域を共有して通信を行う。このため、受信側の無線局（受信局）が受信する受信信号には、通信相手の無線局（送信局）の送信に基づく自局宛の信号（以下、希望信号と言う。）の他に、自局が行っている通信とは関係のない無線局（干渉局）によって送信された信号（以下、干渉信号と言う。）が含まれる。
【０００３】
そして、送信局の送信期間と干渉局の送信期間とが重複した場合、重複期間では、受信局は希望信号に干渉信号が重畳した受信信号を受信することになる。
希望信号に干渉信号が重畳した受信信号を受信した際、例えば、受信局における希望信号の受信電力に対して干渉信号の受信電力が大きい場合、希望信号のチャネル周波数と干渉信号のチャネル周波数とが同一である場合、干渉信号の影響により希望信号の復調誤りが生じる可能性が高くなる。
【０００４】
このため、希望信号に干渉信号が重畳した場合に、希望信号の復調誤りの発生を抑えるべく、干渉信号の特徴量に基づいて受信信号から干渉信号を抑圧する干渉抑圧技術が提供されるようになっている。
例えば、従来の干渉抑圧技術として、希望信号として広帯域信号を対象とし、干渉信号として周期的に到来する狭帯域信号を対象とするものがある（例えば、特許文献１参照。）。
【０００５】
上記の干渉抑圧技術では、受信信号の受信電力が一定周期で変化すると、受信信号が干渉信号であると判断して干渉信号の特徴量を推定する。そして、希望信号を含む受信信号を受信すると、推定した干渉信号の特徴量を用いて受信信号から希望信号に重畳した干渉信号を抑圧する。
【特許文献１】特開２００２−３７４１７９号公報
【発明の開示】
【発明が解決しようとする課題】
【０００６】
ところで、アクセス方式がＴＤＭＡ（Time Division Multiple Access）方式の場合には、受信局には固定パケット長の干渉信号が周期的に到来するので、上記の干渉抑圧技術を適用可能である。
しかしながら、アクセス方式がＣＳＭＡ／ＣＡ（Carrier Sense Multiple Accesswith Collision Avoidance）方式の場合、送信局はランダムに可変パケット長の無線パケット信号を送信し、受信局には無線パケット信号がランダムに到来することになる。従って、周期的に到来する干渉信号を対象とした上記の干渉抑圧技術をＣＳＭＡ／ＣＡ方式を採用した無線通信システムに適用することは困難である。
【０００７】
また、一般に、受信局が備えるアンテナの本数など受信局の構成上、受信局が受信信号から抑圧可能な干渉信号の数は限られる。このため、受信局が以前に複数の干渉局の干渉信号の特徴量を推定していた場合には、受信局が受信信号から干渉信号を抑圧するために用いる干渉信号の特徴量は以前に干渉信号の特徴量を推定した複数の干渉局の一部の干渉局に関するものになる。
【０００８】
そして、受信信号から干渉信号を抑圧するために用いる干渉信号の特徴量として、以前に推定した全ての干渉局に関する干渉信号の特徴量の中から任意に選定した干渉局に関する干渉信号の特徴量にすれば、受信中の希望信号に重畳している干渉信号の特徴量以外の干渉信号の特徴量が用いられる場合が十分に考えられる。このような場合には、受信局は受信信号から干渉信号を抑圧できない。
【０００９】
そこで、本発明は、ランダムに干渉信号が到来する環境であっても、受信信号から干渉信号を抑圧するために用いる干渉信号の特徴量が実際に希望信号に重畳している干渉信号の特徴量である確率を高めて、効果的に受信信号から干渉信号を抑圧することが可能な干渉抑圧方法、及び干渉抑圧装置を提供することを目的とする。
【課題を解決するための手段】
【００１０】
上記目的を達成するために本発明の干渉抑圧方法は、受信局において行われる希望信号に重畳した干渉信号を抑圧する干渉抑圧方法において、自局に到来した信号を送信した送信源を、通信相手の送信局の送信に基づく希望信号に重畳する干渉信号を送信する可能性がある抑圧対象の送信源と可能性がない抑圧対象外の送信源とに識別する識別ステップと、自局に到来した信号に基づいて当該信号の特徴量を取得する特徴量取得ステップと、自局に希望信号を含む受信信号が到来すると、前記識別ステップにおいて抑圧対象の送信源に識別された送信源に関する前記特徴量取得ステップで取得された信号の特徴量に基づいて、前記受信信号から前記希望信号に重畳した干渉信号の抑圧を行う干渉抑圧ステップと、を有する。
【００１１】
本発明の干渉抑圧装置は、希望信号に重畳した干渉信号を抑圧する干渉抑圧装置において、自装置を備えた受信局に到来した信号を送信した送信源を、通信相手の送信局の送信に基づく希望信号に重畳する干渉信号を送信する可能性がある抑圧対象の送信源と可能性がない抑圧対象外の送信源とに識別する識別手段と、自局に到来した信号に基づいて当該信号の特徴量を取得する特徴量取得手段と、自局に希望信号を含む受信信号が到来すると、前記識別手段において抑圧対象の送信源に識別された送信源に関する前記特徴量取得手段で取得された信号の特徴量に基づいて、前記受信信号から前記希望信号に重畳した干渉信号の抑圧を行う干渉抑圧手段と、を備える。
【発明の効果】
【００１２】
上記の干渉抑圧方法及び干渉抑圧装置の夫々によれば、受信局は自局に到来した信号を送信した送信源を抑圧対象の送信源と抑圧対象外の送信源とに識別し、受信信号から干渉信号を抑圧する際に用いる信号の特徴量として、抑圧対象の送信源に識別された送信源に関する信号の特徴量が用いられる。このため、受信信号から干渉信号を抑圧するために用いる干渉信号の特徴量として、抑圧対象外の送信源に関する信号の特徴量が用いられることがなくなる。従って、受信信号から干渉信号を抑圧するために用いる信号の特徴量として、実際に希望信号に重畳している干渉信号の特徴量が用いられる確率が高くなり、効果的に受信信号から干渉信号を抑圧することが可能になる。
【００１３】
上記の干渉抑圧方法において、自局に到来した信号に含まれる当該信号を送信した送信源が属するネットワークを示すネットワーク識別子と自局が属するネットワークを示すネットワーク識別子とを比較する比較ステップを更に有し、前記識別ステップは、前記比較ステップにおける比較の結果、両者が一致すれば前記到来した信号を送信した送信源を抑圧対象外の送信源に識別し、両者が一致しなければ前記到来した信号を送信した送信源を抑圧対象の送信源に識別するようにしてもよい。
【００１４】
上記の干渉抑圧方法において、前記ネットワークを示すネットワーク識別子は、ＢＳＳＩＤ（BasicService Set Identification）であるようにしてもよい。
例えば、ＩＥＥＥ８０２．１１ａの規格に準拠した無線通信システムにおいて、アクセス方式がＣＳＭＡ／ＣＡ方式の場合、送信局の送信期間と、送信局と同じＢＳＳ（Basic Service Set）に属する無線局の送信期間とが重複することは通常起こらない。これに対して、送信局の送信期間と、送信局と異なるＢＳＳに属する無線局の送信期間とが重複することは通常起こり得る。従って、これらの干渉抑圧方法によれば、受信局に到来する信号の送信源の識別を適切に行うことが可能になる。
【００１５】
上記の干渉抑圧方法において、自局に到来した信号の到来タイミングが自局が属するネットワークでの送信禁止期間内であるか否かを判断する判断ステップを更に有し、前記識別ステップは、前記判断ステップにおいて前記到来タイミングが前記送信禁止期間内であると判断された場合、前記到来した信号を送信した送信源を抑圧対象の送信源に識別するようにしてもよい。
【００１６】
上記の干渉抑圧方法において、前記送信禁止期間は、ＩＦＳ（Inter Frame Space）に基づく期間であってもよい。
例えば、ＩＥＥＥ８０２．１１ａの規格に準拠した無線通信システムにおいて、送信局が属するネットワークでのＩＦＳなどに基づく送信禁止期間に当該ネットワークに属する無線局が送信を行うことは通常ない。これに対して、当該送信禁止期間に異なるネットワークに属する無線局が送信を行うことや、電子レンジなどの電子機器が電波を放射することは通常起こり得る。従って、これらの干渉抑圧方法によれば、受信局に到来する信号の送信源の識別を適切に行うことが可能になる。
【００１７】
上記の干渉抑圧方法において、自局に到来した信号の到来タイミングが自局が希望信号を受信する可能性のある干渉測定禁止期間内であるか否かを判断する判断ステップを更に有し、前記識別ステップは、前記判断ステップにおいて前記到来タイミングが前記干渉測定禁止期間内であると判断された場合、到来した信号を送信した送信源を抑圧対象外の送信源に識別するようにしてもよい。
【００１８】
例えば、ＨＣＣＡ（HCF Controlled Channel Access）では、受信局は送信局に対してＱｏＳ  ＣＦ−Ｐｏｌｌフレームを送信することにより、送信局に送信権を所定の期間与える。この場合、受信局は、この所定の期間に基づいて干渉測定禁止期間を設定すれば、受信局は、受信信号から希望信号に重畳した干渉信号の抑圧に用いる信号の特徴量として、希望信号の特徴量を誤って用いることを回避できる。
【００１９】
上記の干渉抑圧方法において、自局に到来した信号から所定のパターンの信号波形のシンボルを含むプリアンブル信号を検出する検出ステップを更に有し、前記識別ステップは、前記検出ステップにおいて前記プリアンブル信号を検出できなかった場合、前記到来した信号を送信した送信源を抑圧対象の送信源に識別するようにしてもよい。
受信局は、例えば、自局が属するネットワークの規格と異なる規格のネットワークに属する無線局によって送信された無線パケット信号、及び電子レンジなどの電子機器によって放射された電波からはプリアンブル信号を検出できない。そして、当該異なる規格のネットワークに属する無線局の無線パケット信号の送信や、電子レンジなどの電子機器による電波の放射は、送信局の送信と無関係に行われる。従って、この干渉抑圧方法によれば、受信局に到来する信号の送信源の識別を適切に行うことができる。
【００２０】
上記の干渉抑圧方法において、自局に到来した信号に含まれる送信源を示す送信源識別子に基づいて、以前に自局に到来した各信号の送信源を示す送信源識別子を列挙した第１周辺端末リストを作成するリスト作成ステップと、前記送信局に以前に到来した各信号の送信源を示す送信源識別子を列挙した第２周辺端末リストを当該送信局から取得するリスト取得ステップと、を更に有し、前記識別ステップは、前記第１周辺端末リストと前記第２周辺端末リストとに基づいて、自局に到来した信号を送信した送信源を抑圧対象外の送信源と抑圧対象の送信源とに識別するようにしてもよい。
【００２１】
上記の干渉抑圧方法において、前記識別ステップは、前記第１周辺端末リストと前記第２周辺端末リストとの双方に列挙された送信源識別子の送信源を抑圧対象外の送信源に識別するようにしてもよい。
上記の干渉抑圧方法において、前記識別ステップは、前記第１周辺端末リストに列挙されているが、前記第２周辺端末リストには列挙されていない送信源識別子の送信源を抑圧対象の送信源に識別するようにしてもよい。
【００２２】
例えば、アクセス方式としてＣＳＭＡ／ＣＡ方式を採用する無線通信システムにおいて、各無線局の電波到達範囲が同じである場合、送信局を電波到達範囲に含む無線局である信号源の送信期間と送信局の送信期間とが重複することはない。一方、送信局を電波到達範囲に含まない無線局である信号源の送信期間と送信局の送信期間は重複する可能性がある。このことから、受信局に到来した各信号の送信源のうち、送信局に到来した各信号の送信源は、受信局において送信局の送信に基づく希望信号に重畳する干渉信号を送信する可能性がない。一方、受信局に到来した各信号の送信源のうち、送信局に到来した各信号の送信源を除く送信源は、受信局において送信局の送信に基づく希望信号に重畳する干渉信号を送信する可能性がある。従って、この干渉抑圧方法によれば、受信局に到来する信号の送信源の識別を適切に行うことができる。
【００２３】
上記の干渉抑圧方法において、前記リスト取得ステップは、前記送信局から送信される前記第２周辺端末リストの内容を含む信号を受信し、当該信号から当該第２周辺端末リストの内容を読み出すようにしてもよい。
上記の干渉抑圧方法において、前記リスト取得ステップは、前記送信局に対して前記第２周辺端末リストを要求する要求信号を送信するリスト要求ステップと、前記リスト要求ステップにおいて送信された前記要求信号に対する応答として前記第２周辺端末リストの内容を含む応答信号を受信し、当該応答信号から当該第２周辺端末リストの内容を読み出すようにしてもよい。
【００２４】
上記の干渉抑圧方法において、前記リスト要求ステップは、前記要求信号の送信を、２個のＣＴＳ（Clear ToSend）フレームを連続して前記送信局へ送信することにより行うようにしてもよい。
これらによれば、受信局が送信局から第２周辺端末リストの入手を行うための簡易な仕組みを提供することができる。
【発明を実施するための最良の形態】
【００２５】
≪第１の実施の形態≫
以下、本発明を実施するための第１の実施の形態について図面を参照しつつ説明する。
＜システム構成＞
本実施の形態の無線通信システムについて図１を参照しつつ説明する。図１は本実施の形態の無線通信システムのシステム構成図である。
【００２６】
但し、本実施の形態では、アクセス方式としてＣＳＭＡ／ＣＡ方式を用いた無線通信システムを対象とする。
図１には、基本サービスセット（Basic Service Set）として、基本サービスセット（ＢＳＳ）１とＢＳＳ２とが示されている。
ＢＳＳ１は、アクセスポイントＡＰ１と複数の無線局１ａ，１ｂ，１ｃ，１ｄとを含む。無線局１ａ，１ｂなどの送信に基づく無線パケット信号のＭＡＣヘッダにはＢＳＳＩＤ（Basic Service Set Identification）が含まれており、ＢＳＳ１ではＢＳＳＩＤはアクセスポイントＡＰ１のＭＡＣ（Media Access Control）アドレスである。
【００２７】
ＢＳＳ２は、アクセスポイントＡＰ２と複数の無線局２ａ，２ｂとを含む。無線局２ａ，２ｂなどの送信に基づく無線パケット信号のＭＡＣヘッダにはＢＳＳＩＤが含まれており、ＢＳＳ２ではＢＳＳＩＤはアクセスポイントＡＰ２のＭＡＣアドレスである。
ＢＳＳ１内のアクセスポイントＡＰ１及びＢＳＳ２内のアクセスポイントＡＰ２はバックボーンネットワークに接続されている。
【００２８】
以下の説明では、無線局１ａを送信局、無線局１ｂを受信局、それ以外の無線局１ｃ，１ｄ，２ａ，２ｂを干渉局として記載する。
受信局１ｂは、後に詳述するように、主に、（１）受信信号を受信したタイミングが後述する送信禁止期間であるか否か、（２）受信信号からプリアンブル信号を検出できたか否か、（３）自局が用いるＢＳＳＩＤと受信信号のＭＡＣヘッダのＢＳＳＩＤとが一致するか否か、に基づいて、受信信号を送信した送信源を、送信局１ａの送信に基づく希望信号に重畳する干渉信号を送信する可能性がある干渉源（以下、抑圧対象の送信源と言う。）と、可能性がない干渉源（以下、抑圧対象外の送信源と言う。）とに識別する。
【００２９】
例えば、干渉局１ｃ，１ｄは受信局１ｂと同じＢＳＳ１に属するので、受信局１ｂは、自局が用いるＢＳＳＩＤと干渉局１ｃ，１ｄから受信する受信信号のＭＡＣヘッダのＢＳＳＩＤとが一致すると判定し、干渉局１ｃ，１ｄを抑圧対象外の送信源に識別する。
これに対して、干渉局２ａ，２ｂは受信局１ｂが属するＢＳＳ１と異なるＢＳＳ２に属するので、受信局１ｂは、自局が用いるＢＳＳＩＤと干渉局２ａ，２ｂから受信する受信信号のＭＡＣヘッダのＢＳＳＩＤとが一致しないと判定し、干渉局２ａ，２ｂを抑圧対象の送信源に識別する。
【００３０】
受信局１ｂは、希望信号から干渉信号を抑圧する際には、抑圧対象の送信源に識別した送信源の中から一の送信源を選定し、選定した送信源に対応した信号の特徴量を用いて受信信号から干渉信号の抑圧を行う。
このように、受信信号から干渉信号を抑圧する際に用いる干渉信号の特徴量は、抑圧対象の送信源のみから選定され、抑圧対象外の送信源からは選定されない。
【００３１】
従って、受信信号から干渉信号を抑圧するために用いる信号の特徴量が実際に希望信号に重畳している干渉信号の特徴量である確率が高くなり、効果的に受信信号から干渉信号を抑圧することが可能になる。
なお、本実施の形態では、送信局１ａと受信局１ｂとの間の無線通信のチャネル周波数と干渉局１ｃ，２ａと干渉局１ｄ，２ｂとの間の無線通信のチャネル周波数とが同じ同一チャネル干渉を対象として説明する。
【００３２】
＜無線パケット信号のフレームフォーマット＞
図１の無線局間で送受信される無線パケット信号のフレームフォーマットの概要について図２を参照しつつ説明する。図２は図１の無線局間で送受信される無線パケット信号のフレームフォーマットを示す図である。
無線パケット信号には、図２（ａ）に示すように、プリアンブル信号６とそれに続くデータシンボル列７とが含まれる。
【００３３】
プリアンブル信号６は同期検出及び伝搬路推定等に用いられる。例えば、ＩＥＥＥ（Institute ofElectronic and Electronics Engineers）８０２．１１ａに準拠した無線ＬＡＮ（LocalArea Network）では、プリアンブル信号は１０個のショートトレーニングシンボルと２個のロングトレーニングシンボルとを含む。
データシンボル列７にはＰＨＹヘッダ７ａ及びＭＡＣヘッダ７ｂなどが含まれる。
【００３４】
ＰＨＹヘッダ７ａには、後続する各データシンボルの変調パラメータ及びデータ長の情報が含まれる。
ＭＡＣヘッダ７ｂには、図２（ｂ）に示すように、宛先アドレス７Ａ、送信元アドレス７Ｂ及びＢＳＳＩＤ７Ｃが含まれるとともに、不図示の制御情報が含まれる。宛先アドレス７Ａには受信側の無線局のＭＡＣアドレスが格納され、送信元アドレス７Ｂには送信側の無線局のＭＡＣアドレスが格納される。また、ＢＳＳＩＤ７Ｃには送信側の無線局が属するＢＳＳのアクセスポイントのＭＡＣアドレスが格納される。
【００３５】
なお、ＩＥＥＥ８０２．１１ａに準拠した無線ＬＡＮでは、データシンボル列７に含まれる各データシンボルはＯＦＤＭ(OrthogonalFrequency Division Multiplexing)と呼ばれる変調方式により変調されている。
＜無線局の装置構成＞
以下、図１の無線局（受信局）１ｂの装置構成について図３を参照しつつ説明する。図３は無線局１ｂの装置構成図である。なお、無線局１ｂ以外の無線局１ａなどは無線局１ｂと同じ装置構成であるとし、説明を省略する。
【００３６】
無線局１ｂは、複数のアンテナ１１−１，・・・，１１−ｋと、スイッチ回路１２と、ＲＦ部１３−１，・・・，１３−ｋと、信号検出部１４と、抑圧対象識別部１５と、特徴量記憶部１６と、干渉抑圧部１７と、ＭＡＣ（Media Access Control）制御部１８と、変調部１９と、ＲＦ部２０とを備える。
アンテナ１１−１は、送受信用のアンテナとして用いられており、スイッチ回路２０によって送信時にはＲＦ部２０に接続され、送信時以外はＲＦ部１３−１に接続される。
【００３７】
ＲＦ部１３−１，・・・，１３−ｋは、アンテナ１１−１，・・・，１１−ｋから入力される高周波帯域の信号（以下、ＲＦ信号と言う。）をダウンコンバートし、ベースバンド帯域の信号（以下、ベースバンド信号と言う。）を信号検出部１４及び干渉抑圧部１７へ出力する。
信号検出部１４は、ＲＦ部１３−１，・・・，１３−ｋから入力されるベースバンド信号に基づいて、信号が到来したこと、及び、到来していた信号の到来が終了したことを検出する。信号検出部１４は、検出結果に基づいて、到来通知信号及び到来終了通知信号を抑圧対象識別部１５へ出力する。
【００３８】
信号検出部１４は、信号の到来を検出した場合、さらに、受信信号からプリアンブル信号の検出処理を行い、プリアンブル信号を検出できれば希望信号の可能性があると判断し、プリアンブル信号を検出できなければ希望信号の可能性がないと判断する。信号検出部１４は、判断結果を示す種別通知信号を抑圧対象識別部１５へ出力する。
但し、プリアンブル信号の検出処理は、例えば、次のようにして行われる。プリアンブル信号は所定パターンの信号波形のトレーニングシンボルを繰り返し含む。信号検出部１４は、順次、ベースバンド信号と参照信号（送信側でのトレーニングシンボルと同じ信号波形の信号）との相関値を求め、相関値のピークがトレーニングシンボルの繰り返し周期で現れれば、プリアンブル信号を検出できたと判断する。信号検出部１４は、相関値のピークを利用してシンボルタイミングを推定し、推定したシンボルタイミングを干渉抑圧部１７へ出力する。
【００３９】
なお、信号検出部１４の詳細は図５を参照して後述する。
抑圧対象識別部１５は、信号検出部１４からの入力内容及びＭＡＣ制御部１８からの入力内容に基づいて、受信信号を送信した送信源を抑圧対象外の送信源と抑圧対象の送信源とに識別する。
抑圧対象識別部１５は、主に、（Ａ）信号を受信したタイミングが送信禁止期間である場合、（Ｂ）受信信号からプリアンブル信号を検出できなかった場合、（Ｃ）自局が用いるＢＳＳＩＤと受信信号のＭＡＣヘッダのＢＳＳＩＤとが一致しなかった場合、受信信号を送信した送信源が抑圧対象の送信源であると判断する。抑圧対象識別部１５は、それ以外の場合、受信信号を送信した送信源が抑圧対象外の送信源であると判断する。
【００４０】
抑圧対象識別部１５は、受信信号を送信している送信源が抑圧対象の送信源であると判断された場合には、特徴量記憶部１６の記憶内容の更新制御を行う。
但し、抑圧対象識別部１５は、上記の（Ａ），（Ｂ），（Ｃ）以外の場合であっても、受信信号の特徴量が以前に抑圧対象の送信源であると判断された送信源から受信した信号の特徴量に類似していれば、受信信号を送信した送信源が抑圧対象の送信源であると判断する。
【００４１】
なお、送信禁止期間は、例えば、ＩＥＥＥ．８０２．１１ａの規格などで決められたＳＩＦＳ（Short InterFrame Space）などのＩＦＳ（Inter Frame Space）に基づく送信を行うことができない期間など、である。
特徴量記憶部１６は、抑圧対象の送信源毎に干渉信号の各サブバンドの特徴量を記憶するための記憶部である。
【００４２】
特徴量記憶部１６は、干渉抑圧部１７から入力される受信中の信号の特徴量を一時保存するとともに、干渉抑圧部１７から入力される信号の特徴量を抑圧対象識別部１５へ出力する。特徴量記憶部１６は、抑圧対象識別部１５によって制御され、干渉抑圧部１７から入力される信号の特徴量を破棄したり、当該信号の特徴量に基づいて記憶内容の更新処理を行う。
【００４３】
また、特徴量記憶部１６は、記憶している一の送信源に関する信号の特徴量を干渉抑圧部１７へ出力する。
特徴量記憶部１６には図４に一例に示す特徴量管理テーブルが格納されており、特徴量管理テーブルにはフィールドとして「Ｎｏ．」及び「特徴量」がある。フィールド「特徴量」には、サブフィールド「サブバンド１」、「サブバンド２」、「サブバンド３」、「サブバンド４」、及び「サブバンド５」がある。
【００４４】
フィールド「Ｎｏ．」には番号が格納され、フィールド「特徴量」のサブフィールド「サブバンド１」などには干渉抑圧部１７によって測定された干渉信号のサブバンドの特徴量が格納される。
特徴量管理テーブルに記憶される特徴量は、抑圧対象識別部１５によって抑圧対象の送信源であると判断された送信源によって以前に送信された干渉信号の特徴量のみである。言い換えると、特徴量管理テーブルには、抑圧対象識別部１５によって抑圧対象外の送信源であると判断された送信源に関連する特徴量は記憶されていない。
【００４５】
干渉抑圧部１７は、「干渉測定モード」と「干渉抑圧モード」との２つの動作モードを有し、ＭＡＣ制御部１８により制御されて、動作モードの切り替えを行う。
「干渉測定モード」での動作時、干渉抑圧部１７は、ＲＦ部１３−１，・・・，１３−ｋから入力されるベースバンド信号の特徴量の測定を行い、測定した特徴量を特徴量記憶部１６へ出力する。また、干渉抑圧部１７は、シングルアンテナで受信したベースバンド信号、又は、最大比合成を施したベースバンド信号に対して復調処理を施して復調データをＭＡＣ制御部１８へ出力する。
【００４６】
「干渉抑圧モード」での動作時、干渉抑圧部１７は、特徴量記憶部１６から入力される特徴量に基づいて、ＲＦ部１３−１，・・・，１３−ｋから入力されるベースバンド信号から干渉信号を抑圧する干渉抑圧処理を施し、その後、復調処理を施して復調データをＭＡＣ制御部１８へ出力する。
但し、干渉抑圧部１７は、ベースバンド信号の特徴量の測定及びベースバンド信号から干渉信号の抑圧をサブバンド単位で行う。
【００４７】
なお、干渉抑圧部１７の詳細は図６を参照して後述する。
ＭＡＣ制御部１８は、干渉抑圧部１７に対して動作モードの切り替えを指示するための制御信号を出力することによって、干渉抑圧部１７の動作モードを制御する。
ＭＡＣ制御部１８は干渉抑圧部１７から入力される復調データのＭＡＣヘッダのＢＳＳＩＤが自局が用いるＢＳＳＩＤに一致していると判定すると、干渉抑圧部１７に対して「干渉抑圧モード」への切り替えを指示するための制御信号を出力する。その後、ＭＡＣ制御部１８は、ＭＡＣヘッダのＢＳＳＩＤが自局が用いるＢＳＳＩＤに一致する復調データの干渉抑圧部１７からの入力が終了すると、干渉抑圧部１７に対して「干渉測定モード」への切り替えを指示するための制御信号を出力する。
【００４８】
上記の制御信号によるＭＡＣ制御部１８の制御により、干渉抑圧部１７は、復調データのＭＡＣヘッダのＢＳＳＩＤが自局のＢＳＳＩＤと一致したと判定してから当該復調データの元となった受信信号の到来が終了するまでの期間は「干渉抑圧モード」で動作し、それ以外の期間は「干渉測定モード」で動作する。
ＭＡＣ制御部１８は、抑圧対象識別部１５に対して、現在、送信禁止期間であるか送信禁止期間外であるかを示す送信禁止期間通知信号を出力するとともに、復調データのＭＡＣヘッダのＢＳＳＩＤが自局が用いるＢＳＳＩＤに一致するかしないかを示す同一ネットワーク通知信号を出力する。
【００４９】
変調部１９は、ＭＡＣ制御部１８から入力される送信データを所定の変調方式で変調する。
ＲＦ部２０は、変調部１９から入力される変調されたベースバンド信号をアップコンバートする。アップコンバートにより得られたＲＦ信号はスイッチ回路１２を介してアンテナ１１−１から放射される。
【００５０】
＜信号検出部の装置構成＞
図３の信号検出部１４の装置構成について図５を参照しつつ説明する。図５は図３の信号検出部１４の装置構成図である。
信号検出部１４は、サブバンド分離部３１−１，・・・，３１−ｋとサブバンド結合信号検出部３２とを有する。
【００５１】
サブバンド分離部３１−１は、ＲＦ部１３−１から入力されるベースバンド信号を複数（例えば、５個）のサブバンドのサブバンド信号に分割し、分割により得られた各サブバンド信号をサブバンド結合信号検出部３２へ出力する。なお、サブバンド分離部３１−１以外のサブバンド分離部３１−ｋなどはサブバンド分離部３１−ｋと実質的に同じ処理を行う。
【００５２】
但し、ベースバンド信号を複数のサブバンドに分割する方法として、例えば、ＦＦＴ（Fast FourierTransform）、ウェーブレット変換、又はフィルタバンク等を利用することができる。
なお、アンテナ入力毎にサブバンド分離部５１−１，・・・，５１−ｋを設ける代わりに、１つのサブバンド分離部を時分割で使用するようにしてもよい。
【００５３】
サブバンド結合信号検出部３２は、サブバンド分離部３１−１，・・・，３１−ｋから入力されるサブバンド信号に基づいて、サブバンド毎にサブバンド信号を結合する。そして、サブバンド結合信号検出部３２は、サブバンド毎の電力値やサブバンド信号間の相関（アンテナ間相関）等の変化量の検出を行い、信号が到来したこと、到来していた信号の到来が終了したことを検出する。さらに、サブバンド結合信号検出部３２は、サブバンド毎にプリアンブル信号の検出処理を行って、受信信号が希望信号である可能性があるかどうかを判断する。
【００５４】
この構成により、サブバンド毎の電力値やアンテナ間相関等を用いて総合的に受信状態の変化を検出することができ、より高い精度で干渉信号の検出が可能になる。
例えば、隣接チャネルの干渉信号が到来した場合には、隣接チャネルに近いサブバンドに大きな電力が発生するが、受信帯域全体で見ると大きな値とならないため、信号の到来の正確な検出が困難となる場合がある。しかし、サブバンド毎の電力を検出し、例えば、電力が所定の閾値を超えるサブバンドが所定個数以上のときに信号が到来したことを検出するようにすることで、より正確な信号の検出が可能になる。
【００５５】
なお、信号検出部１４の構成としては、図５に限定されるものではなく、サブバンド分離部を有しない構成としても良い。この場合、ＲＦ部１３−１、・・・、１３−ｋから入力されるベースバンド信号の電力値やアンテナ間相関等の変化量の検出を行い、信号が到来したこと、到来していた信号の到来が終了したことを検出するようにしてもよい。更に、ベースバンド信号毎にプリアンブル信号の検出を行ってもよい。
【００５６】
＜干渉抑圧部の装置構成＞
図３の干渉抑圧部１７の装置構成について図６を参照しつつ説明する。図６は図３の干渉抑圧部１７の装置構成図である。但し、図６は変調方式としてＯＦＤＭ方式等のマルチキャリア変調方式を対象とする。なお、図６に示す干渉抑圧部１７は、本出願人が先に出願した技術（国際公開第２００６／００３７７６パンフレット参照）である。
【００５７】
干渉抑圧部１７は、サブバンド分離部５１−１，・・・，５１−ｋと、サブバンド処理部５２−１，・・・，５２−ｈと、復調部５３とを備える。サブバンド処理部５２−１，・・・，５３−ｈの数は例えば５個である。
サブバンド分離部５１−１はＲＦ部１３−１から入力されるベースバンド信号を複数（ここでは、“ｈ”個）のサブバンドのサブバンド信号に分割し、分割により得られた各サブバンド信号をサブバンド処理部５２−１，・・・，５２−ｈへ出力する。なお、サブバンド分離部５１−１以外のサブバンド分離部５１−ｋなどはサブバンド分離部５１−１と実質的に同じ処理を行う。
【００５８】
但し、ベースバンド信号を複数のサブバンドに分割する方法として、例えば、ＦＦＴ、ウェーブレット変換、又はフィルタバンク等を利用することができる。
なお、アンテナ入力毎にサブバンド分離部５１−１，・・・，５１−ｋを設ける代わりに、１つのサブバンド分離部を時分割で使用するようにしてもよい。
サブバンド処理部５２−ｈは、サブバンド分離部５１−１，・・・，５１−ｋから入力されるサブバンド信号をサブバンド毎に結合し、サブバンド毎にベースバンド信号の特徴量の測定、及び、ベースバンド信号から干渉信号の抑圧などを行う。なお、サブバンド処理部５２−ｈ以外のサブバンド処理部５２−１などはサブバンド処理部５２−ｈと実質的に同じ処理を行う。
【００５９】
復調部５３は、サブバンド処理部５２−１，・・・，５２−ｈから入力される信号を結合し、結合した信号を復調し、復調データをＭＡＣ制御部１８へ出力する。
サブバンド処理部５２−ｈは、伝搬路推定部５４−ｈと、特徴量測定部５５−ｈと、重付合成部５６−ｈとを備える。
伝搬路推定部５４−ｈは、サブバンド分離部５１−１，・・・，５１−ｋから入力されるサブバンド信号に含まれる既知信号に基づいて受信信号の伝搬路推定を行い、伝搬路推定行列Ｈを重付合成部５６−ｈへ出力する。
【００６０】
特徴量測定部５６−ｈは、「干渉測定モード」での動作時、サブバンド分離部５１−１，・・・，５１−ｋから入力される各サブバンド信号間の相関である共分散行列Ｒｕｕを求め、求めた共分散行列Ｒｕｕをベースバンド信号のサブバンドの特徴量として特徴量記憶部１６へ出力する。なお、共分散行列は、サブバンド信号間の相関（アンテナ間相関）とサブバンド信号の電力値の情報を含む。
【００６１】
重付合成部５６−ｈは、「干渉測定モード」での動作時、伝搬路推定部５４−ｈから入力される伝搬路推定行列Ｈを用いて、サブバンド分離部５１−１，・・，５１−ｋから入力される各サブバンド信号を重み付け合成し、重み付け合成後の信号を復調部５３へ出力する。
重付合成部５６−ｈは、「干渉抑圧モード」での動作時、サブバンド分離部５１−１，・・，５１−ｋからサブバンド信号が入力される。入力される全てのサブバンド信号を一つの行列（以下、サブバンド行列という。）ｒで表す。重付合成部５６−ｈは、伝搬路推定部５４−ｈから入力される伝搬路推定行列Ｈと特徴量記憶部１６から入力される特徴量（共分散行列Ｒｕｕ）とを用いて、下記の式（１）を演算してサブバンド信号の重み付け合成を行い、干渉信号成分を抑圧した信号ｖを復調部５３へ出力する。
【００６２】
ｖ＝ＲｓｓＨ＊（ＨＲｓｓＨ＊＋Ｒｕｕ）−１ｒ  ・・・（式１）
但し、Ｈ＊はＨの複素共役転置、（ＨＲｓｓＨ＊＋Ｒｕｕ）−１は（ＨＲｓｓＨ＊＋Ｒｕｕ）の逆行列を示す。
なお、行列Ｒｓｓは、送信局から送出された信号ｓの共分散行列を表し、送信信号の統計的性質から知ることができる。
【００６３】
＜干渉測定処理及び干渉抑圧処理＞
図３の無線局（受信局）１ｂが行う干渉測定処理及び干渉抑圧処理について図７を参照しつつ説明する。図７は無線局１ｂが行う干渉測定処理及び干渉抑圧処理の流れを示すフローチャートである。
ＭＡＣ制御部１８は、干渉抑圧部１７の動作モードを「干渉測定モード」に設定するための制御を行う（ステップＳ１１）。干渉抑圧部１７は、動作モードが「干渉測定モード」に設定され、ＲＦ部１３−１，・・・，１３−ｋから入力されるベースバンド信号の特徴量を測定するとともに、ベースバンド信号を復調して復調データをＭＡＣ制御部１８へ出力する（ステップＳ１２）。
【００６４】
ＭＡＣ制御部１８は、干渉抑圧部１７から入力される復調データからＭＡＣヘッダの取得処理を行う（ステップＳ１３）。ＭＡＣヘッダの取得が行われるまで（ステップＳ１３：ＮＯ）、ＭＡＣ制御部１８は復調データからのＭＡＣヘッダの取得処理を行う。
ＭＡＣヘッダが取得されると（ステップＳ１３：ＹＥＳ）、ＭＡＣ制御部１８はＭＡＣヘッダのＢＳＳＩＤと自局が用いるＢＳＳＩＤとを比較する（ステップＳ１４）。
【００６５】
比較の結果、両者のＢＳＳＩＤが一致しなかった場合（ステップＳ１４：ＮＯ）、ＭＡＣ制御部１８は受信信号に希望信号が含まれないと判断し（ステップＳ１５）、ステップＳ１２の処理に戻って、干渉抑圧部１７はＲＦ部１３−１，・・・，１３−ｋから入力されるベースバンド信号の特徴量を継続して測定する。
比較の結果、両者のＢＳＳＩＤが一致した場合（ステップＳ１４：ＹＥＳ）、ＭＡＣ制御部１８は受信信号に希望信号が含まれる可能性があると判断する（ステップＳ１６）。
【００６６】
ＭＡＣ制御部１８は、干渉抑圧部１７の動作モードを「干渉抑圧モード」に切り替えるための制御を行う（ステップＳ１７）。これにより、干渉抑圧部１７は動作モードが「干渉測定モード」から「干渉抑圧モード」に切り替わる。特徴量記憶部１６は記憶している一の送信源の特徴量を干渉抑圧部１７へ出力している。干渉抑圧部１７は、ＲＦ部１３−１，・・・，１３−ｋから入力されるベースバンド信号から入力される特徴量に基づいて干渉信号の抑圧を行い、さらにベースバンド信号を復調して復調データをＭＡＣ制御部１８へ出力する（ステップＳ１８）。
【００６７】
ＭＡＣ制御部１８は復調データ内のデータ長に基づいて受信中の信号の到来が終了したかを判定する（ステップＳ１９）。
受信中の信号が継続して到来していれば（ステップＳ１９：ＮＯ）、ステップＳ１８の処理に戻って、干渉抑圧部１７はＲＦ部１３−１，・・・，１３−ｋから入力されるベースバンド信号から干渉信号の抑圧等を継続して行う。
【００６８】
受信中の信号の到来が終了していれば（ステップＳ１９：ＹＥＳ）、ステップＳ１１の処理に戻って、ＭＡＣ制御部１８は、干渉抑圧部１７の動作モードを「干渉測定モード」に切り替えるための制御を行い、干渉抑圧部１７は「干渉測定モード」の動作を開始する。
＜抑圧対象識別処理＞
図３の無線局（受信局）１ｂが行う抑圧対象識別処理について図８を参照しつつ説明する。図８は無線局１ｂが行う抑圧対象識別処理の流れを示すフローチャートである。
【００６９】
信号検出部１４はベースバンド信号に基づいて信号の到来の検出処理を行い、抑圧対象識別部１５は信号検出部１４からの到来通知信号に基づいて信号が到来したかを判定する（ステップＳ３１）。
抑圧対象識別部１５は、信号検出部１４から到来通知信号が入力され、信号が到来したと判定すると（ステップＳ３１：ＹＥＳ）、ステップＳ３２の処理が行われる。
【００７０】
ＭＡＣ制御部１８は、現在、送信禁止期間にあるか送信禁止期間外であるかを判定しており、判定結果を示す送信禁止期間通知信号を抑圧対象識別部１５へ出力している。抑圧対象識別部１５は、ＭＡＣ制御部１８から入力される送信禁止期間通知信号に基づいて、信号検出部１４から到来通知信号が入力されたタイミングが送信禁止期間内であるか否かを判定する（ステップＳ３２）。
【００７１】
到来通知信号の入力タイミングが送信禁止期間内であった場合（ステップＳ３２：ＹＥＳ）、抑圧対象識別部１５は受信中の信号を抑圧対象の信号と判定し、当該信号の送信源を抑圧対象の送信源であると判断する（ステップＳ３３）。
そして、抑圧対象識別部１５は、測定帯域内において、特徴量記憶部１６から入力される受信中の信号の特徴量が特徴量記憶部１６の特徴量管理テーブルに記憶されている特徴量の何れかに類似しているか判定する（ステップＳ３４）。なお、両者の特徴量の類似の判断には共分散行列に情報として含まれるアンテナ間相関と電力変動の時間特性が用いられる。両者のアンテナ間相関の差の加算値が所定値以下であれば両者のアンテナ間相関が類似していると判断し、両者の電力変動の時間特性のサンプル点の差の加算値が所定値以下であれば両者の電力変動の時間変動が類似していると判断する。そして、アンテナ間相関と電力変動との双方が類似している場合に、特徴量は類似していると判断する。なお、両者の特徴量の類似の判断の仕組みは上記のものに限定されるものではない。
【００７２】
受信中の信号の特徴量が特徴量記憶部１６の特徴量管理テーブルに記憶されている何れかの特徴量に類似していれば（ステップＳ３４：ＹＥＳ）、抑圧対象識別部１５は受信中の信号の送信源は既に特徴量記憶部１６の特徴量管理テーブルに記憶されている抑圧対象の送信源の何れかであると判断する。そして、抑圧対象識別部１５は、受信中の信号の特徴量に類似していた特徴量記憶部１６の特徴量管理テーブルに記憶されている特徴量を受信中の信号の特徴量に更新する（ステップＳ３５）。そして、ステップＳ３１以降の処理が行われる。
【００７３】
受信中の信号の特徴量が特徴量記憶部１６の特徴量管理テーブルに記憶されている何れの特徴量にも類似していなければ（ステップＳ３４：ＮＯ）、抑圧対象識別部１５は受信中の信号の送信源は新たな抑圧対象の送信源であると判断する。そして、抑圧対象識別部１５は、受信中の信号の特徴量を特徴量記憶部１６の特徴量管理テーブルに新規登録する（ステップＳ３６）。そして、ステップＳ３１以降の処理が行われる。
【００７４】
到来通知信号の入力タイミングが送信禁止期間外であった場合（ステップＳ３２：ＮＯ）、ステップＳ３７の処理へ進む。
信号検出部１４は、信号の到来が検出された後、受信信号からプリアンブル信号の検出処理を行っており、検出結果を基に種別通知信号を抑圧対象識別部１５へ出力する。抑圧対象識別部１５は、種別通知信号に基づいて、プリアンブル信号が検出されたか否かを判定する（ステップＳ３７）。
【００７５】
信号検出部１４によってプリアンブル信号が検出されなければ（ステップＳ３７：ＮＯ）、抑圧対象識別部１５は受信中の信号を抑圧対象の信号と判定し、当該信号の送信源を抑圧対象の送信源であると判断する（ステップＳ３３）。そして、ステップＳ３４以降の処理が行われる。
信号検出部１４によってプリアンブル信号が検出されれば（ステップＳ３７：ＹＥＳ）、抑圧対象識別部１５は、信号帯域外において、特徴量記憶部１６から入力される受信中の信号の特徴量が特徴量記憶部１６の特徴量管理テーブルに記憶されている特徴量の何れかに類似しているか判定する（ステップＳ３８）。
【００７６】
受信中の信号の特徴量が特徴量記憶部１６の特徴量管理テーブルに記憶されている何れかの特徴量に類似していれば（ステップＳ３８：ＹＥＳ）、抑圧対象識別部１５は受信中の信号を抑圧対象の信号と判定し、当該信号の送信源を抑圧対象の送信源であると判断する（ステップＳ３９）。そして、抑圧対象識別部１５は、受信中の信号の特徴量に類似していた特徴量記憶部１６の特徴量管理テーブルに記憶されている特徴量を受信中の信号の特徴量に更新する（ステップＳ４０）。そして、ステップＳ３１以降の処理が行われる。
【００７７】
受信中の信号の特徴量が特徴量記憶部１６の特徴量管理テーブルに記憶されている何れの特徴量にも類似していなければ（ステップＳ３８：ＹＥＳ）、干渉抑圧部１７はＲＦ部１３−１，・・・，１３−ｋから入力されるベースバンド信号に基づいて復調処理を行い、復調データをＭＡＣ制御部１８へ出力する（ステップＳ４１）。
ＭＡＣ制御部１８は、干渉抑圧部１７から入力される復調データ内のＰＨＹヘッダが正常であるか否かを判定し、判定結果を抑圧対象識別部１５へ出力する。抑圧対象識別部１５は、ＭＡＣ制御部１８から入力される判定結果に基づいてＰＨＹヘッダが正常であるかを判定する（ステップＳ４２）。
【００７８】
ＰＨＹヘッダが正常であれば（ステップＳ４２：ＹＥＳ）、ステップＳ４３の処理が行われる。
ＭＡＣ制御部１８は復調データのＭＡＣヘッダのＢＳＳＩＤと自局が用いるＢＳＳＩＤとを比較し、比較結果を示す同一ネットワーク通知信号を抑圧対象識別部１５へ出力する。抑圧対象識別部１５は同一ネットワーク通知信号に基づいて、両者のＢＳＳＩＤが一致するかを判定する（ステップＳ４３）。
【００７９】
両者のＢＳＳＩＤが一致していれば（ステップＳ４３：ＹＥＳ）、抑圧対象識別部１５は受信中の信号を抑圧対象外の信号と判定し、当該信号の送信源を抑圧対象外の送信源であると判断する。そして、抑圧対象識別部１５は、特徴量記憶部１６に、一時保存していた信号の特徴量を破棄させる（ステップＳ４４）。そして、ステップＳ３１以降の処理が行われる。
【００８０】
両者のＢＳＳＩＤが一致しなければ（ステップＳ４３：ＮＯ）、抑圧対象識別部１５は受信中の信号を抑圧対象の信号と判定し、当該信号の送信源を抑圧対象の送信源であると判断する（ステップＳ３３）。そして、ステップＳ３４以降の処理が行われる。
ＰＨＹヘッダが正常でなければ（ステップＳ４２：ＮＯ）、抑圧対象識別部１５は信号帯域外の電力が信号帯域内の電力より大きいかを判定する（ステップＳ４５）。
【００８１】
抑圧対象識別部１５は信号帯域外の電力が信号帯域内の電力より大きければ（ステップＳ４５：ＹＥＳ）、抑圧対象識別部１５は、例えば、隣接チャネルに干渉信号が到来したと判断する。抑圧対象識別部１５は受信中の信号を抑圧対象の信号と判定し、当該信号の送信源を抑圧対象の送信源であると判断する（ステップＳ３３）。そして、ステップＳ３４以降の処理が行われる。
【００８２】
抑圧対象識別部１５は信号帯域外の電力が信号帯域内の電力以下であれば（ステップＳ４５：ＮＯ）、抑圧対象識別部１５は、例えば、信号帯域内の電力が小さいためＰＨＹヘッダの復調に誤りが生じたと判断する。そして、抑圧対象識別部１５は、特徴量記憶部１６に対して、一時保存していた信号の特徴量を破棄させる。そして、ステップＳ３１以降の処理が行われる。
【００８３】
＜受信処理＞
図１の無線通信システムの無線局（受信局）１ｂの受信処理の一例について図９を参照しつつ説明する。図９は図１の無線局１ｂが行う受信処理の動作例を説明するための図である。
時刻ｔ１１で干渉局２ａが干渉局２ｂ宛に第１信号を送信すると、干渉局２ｂが第１信号を受信するとともに、受信局１ｂも第１信号を受信する。
【００８４】
受信局１ｂの信号検出部１４は、受信電力の増大等により信号の到来を検出し、受信中の信号からプリアンブル信号を検出する。ＭＡＣ制御部１８は受信中の信号のＰＨＹヘッダが正常であると判定し、ＭＡＣヘッダ内のＢＳＳＩＤが自局が用いるＢＳＳＩＤに一致しないと判断する。
これにより、抑圧対象識別部１５は受信中の信号を抑圧対象の信号であると判定し、当該信号の送信源を抑圧対象の送信源であると判断する。そして、抑圧対象識別部１５は、干渉抑圧部１７によって測定された受信中の信号の特徴量を特徴量記憶部１６に新規登録する。
【００８５】
なお、両者のＢＳＳＩＤが一致しないので、干渉抑圧部１７は継続して「干渉測定モード」で動作する。
時刻ｔ１２で受信局１ｂの信号検出部１４は、受信電力の増大等により新たな信号の到来を検出し、受信中の信号からプリアンブル信号を検出する。ＭＡＣ制御部１８は受信中の信号のＰＨＹヘッダが正常であると判定し、ＭＡＣヘッダ内のＢＳＳＩＤが自局が用いるＢＳＳＩＤに一致すると判断する。
【００８６】
これにより、ＭＡＣ制御部１８は干渉抑圧部１７の動作モードを「干渉抑圧モード」に切り替えるための制御を行う。
干渉抑圧部１７は、受信中の信号から特徴量記憶部１６から入力される特徴量に基づいて干渉信号を抑圧する。
≪第２の実施の形態≫
以下、第２の実施の形態について図面を参照しつつ説明する。
【００８７】
第１の実施の形態では、受信局が受信した信号の受信タイミングやＭＡＣヘッダのＢＳＳＩＤなどに基づいて受信中の信号を送信した送信源を抑圧対象の送信源と抑圧対象外の送信源とに識別する。
これに対して、本実施の形態は、受信局が以前に受信した各信号を送信した送信源と送信局が以前に受信した各信号を送信した送信源とを比較にすることにより、受信局が以前に受信した各信号を送信した送信源を抑圧対象の送信源と抑圧対象外の送信源とに識別する。
【００８８】
＜システム構成＞
本実施の形態の無線通信システムについて図１０を参照しつつ説明する。図１０は本実施の形態の無線通信システムのシステム構成図である。
但し、本実施の形態では、アクセス方式としてＣＳＭＡ／ＣＡ方式を用いた無線通信システムを対象とする。
【００８９】
図１０には、無線局３ａ，３ｂ，３ｃ，３ｄ，４ａ，４ｂが図示されており、無線局３ｂ，３ｃ，３ｄは無線局３ａの電波到達範囲内に位置し、無線局４ａ，４ｂは無線局３ａの電波到達範囲外に位置している。なお、無線局の電波到達距離は、全ての無線局において同じであるとする。
無線通信システムではＣＳＭＡ／ＣＡ方式が採用されていることから、無線局３ａが無線パケット信号を送信している期間に、無線局３ａの電波到達範囲内に位置する無線局３ｂ，３ｃ，３ｄが無線パケット信号を送信することはない。
【００９０】
これに対して、無線局３ａの電波到達範囲外にある無線局４ａ，４ｂはキャリアセンスしても無線局３ａによって送信された無線パケット信号を検知できないので、無線局３ａが無線パケット信号を送信している期間に無線局４ａ，４ｂは無線パケット信号を送信することがある。
ここで、無線局３ａを送信局、無線局３ｂを受信局、それ以外の無線局３ｃ，３ｄ，４ａ，４ｂを干渉局とする。
【００９１】
受信局３ｂは、以前に、送信局３ａ及び干渉局３ｃ，３ｄ，４ａ，４ｂによって送信された無線パケット信号を受信し、送信局３ａ及び干渉局３ｃ，３ｄ，４ａ，４ｂのＭＡＣアドレスを列挙した第１周辺端末リストを内部記憶している。
また、送信局３ｂは、以前に、受信局３ｂ及び干渉局３ｃ，３ｄによって送信された無線パケット信号を受信し、受信局３ｂ及び干渉局３ｃ，３ｄのＭＡＣアドレスを列挙した第２周辺端末リストを内部記憶している。
【００９２】
受信局３ｂは、図１１に一例を示す後述するＲＴＩ要求パケット又はＲＴＩ応答パケットに基づいて送信局３ａから第２周辺端末リストを入手し、第１周辺端末リストと第２周辺端末リストとを比較する。そして、受信局３ｂは、第１周辺端末リストに列挙された無線局（送信局を除く）のうち、送信局から入手した第２周辺端末リストに列挙されている無線局である干渉局３ｃ，３ｄを抑圧対象外の送信源に識別し、列挙されていない無線局である干渉局４ａ，４ｂを抑圧対象の送信源に識別する。
【００９３】
受信局３ｂは、希望信号から干渉信号を抑圧する際には、抑圧対象の送信源に識別した送信源の中から一の送信源を選定し、選定した送信源に対応した信号の特徴量を用いて受信信号から干渉信号の抑圧を行う。
このように、受信信号から干渉信号を抑圧する際に用いる干渉信号の特徴量は、抑圧対象の送信源のみから選定され、抑圧対象外の送信源からは選定されない。
【００９４】
従って、受信信号から干渉信号を抑圧するために用いる信号の特徴量が実際に希望信号に重畳している干渉信号の特徴量である確率が高くなり、効果的に受信信号から干渉信号を抑圧することが可能になる。
＜ＲＴＩ要求フレーム及びＲＴＩ応答フレームのフレームフォーマット＞
図１０の無線局間で送受信されるRTI要求フレーム及びRTI応答フレームのフレームフォーマットの概要について図１１を参照しつつ説明する。図１１は図１０の無線局間で送受信されるＲＴＩ要求フレーム及びＲＴＩ応答フレームのフレームフォーマットを示す図である。
【００９５】
ＲＴＩ要求フレーム及びＲＴＩ応答フレーム８には、図１１に示されるように、ＭＡＣヘッダ８ａとＮＲＴ８ｂとＲＴＩ８ｃとが含まれる。
ＭＡＣヘッダ８ａは宛先アドレスと送信元アドレスとを含む。
ＮＲＴ（Number of Recognizable Terminals）８ｂは、自局に到来した各信号の送信局のＭＡＣアドレス及び受信局のＭＡＣアドレスの総数を格納するためのフィールドである。なお、同じＭＡＣアドレスは一つでカウントする。
【００９６】
ＲＴＩ(Recognizable Terminals Information)８ｃは、無線局（自局に到来した各信号の送信局及び受信局）毎に、アドレス８ＡとＨＴＰ８ＢとＲＳＳＩ８ＣとＲＢ８Ｄとを格納するためのフィールドである。
アドレス８Ａは、無線局のＭＡＣアドレスを格納するためのフィールドである。
ＨＴＰ（Hidden Terminal Possiblity）８Ｂは、対応するアドレス８ＡにＭＡＣアドレスが格納された無線局の隠れ端末の可能性を示す情報を格納するためのフィールドである。無線局は、周辺の無線局間の信号の交換を盗み聞きし、返答要求信号のみを受信し、当該返答要求信号に対する返答信号を受信できなかった場合、返答要求信号の宛先アドレスの無線局は隠れ端末の可能性があると判断する。そして、隠れ端末の可能性がある無線局に関するＨＴＰ８Ｂには“１”が格納される。それ以外の無線局は隠れ端末の可能性がないとして、ＨＴＰ８Ｂには“０”が格納される。但し、隠れ端末の可能性を認識する技術として、例えば、特開２００２−２１７９１３号公報に開示された技術がある。
【００９７】
ＲＳＳＩ（Received Signal Strength Indication）８Ｃは、対応するアドレス８ＡにＭＡＣアドレスが格納された無線局から受信した受信信号の受信電力値を格納するためのフィールドである。なお、本実施の形態では、ＲＳＳＩ８Ｃに格納された値は特に利用しない。
ＲＢ（Required Bandwidth）８Ｄは、対応するアドレス８ＡにＭＡＣアドレスが格納された無線局と以前にＱｏＳ（Quality of Service）条件を含むフレームを交換したことがあれば、それに含まれる要求帯域を格納するためのフィールドである。なお、本実施の形態では、ＲＢ８Ｄに格納された値は特に利用しない。
【００９８】
本実施の形態では、ＮＲＴ８ｂに自局に到来した各信号の送信局（周辺端末）のＭＡＣアドレスの総数（周辺端末の総数）を格納する。そして、所定の情報８−１などは周辺端末毎に設けられ、アドレス８Ａに周辺端末のＭＡＣアドレスを、ＨＴＰ８Ｂには“０”を格納する。
＜無線局の装置構成＞
以下、図１０の無線局（受信局）３ｂの装置構成について図１２を参照しつつ説明する。図１２は無線局３ｂの装置構成図である。なお、無線局３ｂ以外の無線局３ａなどは無線局３ｂと同じ装置構成であるとし、説明を省略する。
【００９９】
無線局３ｂは、複数のアンテナ１１−１，・・・，１１−ｋと、スイッチ回路１２と、ＲＦ部１３−１，・・・，１３−ｋと、信号検出部１４と、抑圧対象識別部１５ａと、端末リスト記憶部２５と、特徴量記憶部１６ａと、干渉抑圧部１７と、ＭＡＣ制御部１８ａと、変調部１９と、ＲＦ部２０とを備える。
端末リスト記憶部２５は、図１３に一例を示す端末リスト管理テーブルを記憶している。端末リスト管理テーブルには、フィールドとして「周辺端末アドレス」、「周辺端末リスト」、「抑圧対象外端末リスト」、及び「抑圧対象端末リスト」がある。
【０１００】
フィールド「周辺端末アドレス」には、自局のＭＡＣアドレス及び周辺端末のＭＡＣアドレスが一つずつ格納される。なお、フィールド「周辺端末アドレス」に格納される周辺端末のＭＡＣアドレスは、自局が以前に受信した信号のＭＡＣヘッダの送信元アドレス、つまり、当該信号を送信した無線局のＭＡＣアドレスである。
フィールド「周辺端末リスト」には、対応する周辺端末アドレスの無線局が以前に受信した各信号のＭＡＣヘッダの送信元アドレスが格納される。但し、対応する周辺端末アドレスの無線局が以前に複数の無線局によって送信された信号を受信していれば、フィールド「周辺端末リスト」には複数のＭＡＣアドレスが格納される。
【０１０１】
フィールド「抑圧対象外端末リスト」には、自局が対応する周辺端末アドレスの無線局と無線通信を行って当該無線局から信号を受信する場合に、自局においてこの信号に重畳する干渉信号を送信する可能性がない無線局のＭＡＣアドレスが格納される。但し、フィールド「抑圧対象外端末リスト」には複数のＭＡＣアドレスが格納されることがある。
フィールド「抑圧対象端末リスト」には、自局が対応する周辺端末アドレスの無線局と無線通信を行って当該無線局から信号を受信する場合に、自局においてこの信号に重畳する干渉信号を送信する可能性がある無線局のＭＡＣアドレスが格納される。但し、フィールド「抑圧対象端末リスト」には複数のＭＡＣアドレスが格納されることがある。
【０１０２】
端末リスト記憶部２５は、フィールド「周辺端末アドレス」に通信相手の送信局のＭＡＣアドレスが格納されているレコードのフィールド「抑圧対象端末リスト」に格納されたＭＡＣアドレスを列挙した抑圧対象端末リストを特徴量記憶部１６ａへ出力する。
抑圧対象識別部１５ａは、端末リスト管理テーブルの各レコード（周辺端末アドレスが自局のＭＡＣアドレスであるレコードを除く。）において、レコードのフィールド「抑圧対象外端末リスト」の格納内容と「抑圧対象端末リスト」の格納内容とを、当該レコードのフィールド「周辺端末リスト」の格納内容（第２周辺端末リスト）とフィールド「周辺端末リスト」に自局のＭＡＣアドレスが格納されているレコードのフィールド「周辺端末リスト」の格納内容（第１周辺端末リスト）とに基づいて更新する。
【０１０３】
抑圧対象識別部１５ａは、更新対象のレコードのフィールド「抑圧対象外端末リスト」の格納内容を、第１周辺端末リストに列挙された周辺端末アドレスのうち第２周辺端末リストに列挙された周辺端末アドレスに更新する。また、抑圧対象識別部１５ａは、更新対象のレコードのフィールド「抑圧対象端末リスト」の格納内容を、第１周辺端末リストに列挙された周辺端末アドレス（更新対象のレコードの周辺端末アドレスを除く。）のうち、第２周辺端末リストに列挙された周辺端末アドレスを除く周辺端末アドレスに更新する。
【０１０４】
抑圧対象識別部１５ａの処理の一例をフィールド「周辺端末アドレス」が周辺端末アドレス“Ｓ”のレコードに基づいて説明する。
抑圧対象識別部１５ａは、フィールド「周辺端末アドレス」が周辺端末アドレス“Ｒ（自局）”のレコードのフィールド「周辺端末リスト」から第１周辺端末リスト“Ｓ，Ａ，Ｂ，Ｃ”を読み出すとともに、更新対象のレコードのフィールド「周辺端末リスト」から第２周辺端末リスト“Ｒ，Ｃ”を読み出す。
【０１０５】
抑圧対象識別部１５ａは、更新対象のレコードのフィールド「抑圧対象外端末リスト」の格納内容を、第１周辺端末リスト“Ｓ，Ａ，Ｂ，Ｃ”のうち第２周辺端末リスト“Ｒ，Ｃ”にある周辺端末アドレス“Ｃ”に更新する。
抑圧対象識別部１５ａは、更新対象のレコードのフィールド「抑圧対象端末リスト」の格納内容を、第１周辺端末リスト“Ｓ，Ａ，Ｂ，Ｃ”から更新対象のレコードの周辺端末アドレス“Ｓ”を除いた“Ａ，Ｂ，Ｃ”のうち第２周辺端末リスト“Ｒ，Ｃ”にある周辺端末アドレス“Ｃ”を除く周辺端末アドレス“Ａ，Ｂ”に更新する。
【０１０６】
特徴量記憶部１６ａは、自局が以前に受信した信号を送信した無線局、つまり、周辺端末毎に干渉信号の特徴量を記憶するための記憶部であって、端末リスト記憶部２５から入力される抑圧対象端末リストに列挙された一の無線局の干渉信号の特徴量を干渉抑圧部１７へ出力する。
特徴量記憶部１６ａには図１４に一例を示す特徴量管理テーブルが格納されており、特徴量管理テーブルにはフィールドとして「周辺端末アドレス」及び「特徴量」がある。フィールド「特徴量」には、サブフィールド「サブバンド１」、「サブバンド２」、「サブバンド３」、「サブバンド４」、及び「サブバンド５」がある。
【０１０７】
フィールド「周辺端末アドレス」には、周辺端末のＭＡＣアドレスが一つずつ格納される。なお、フィールド「周辺端末アドレス」に格納される周辺端末のＭＡＣアドレスは、自局が以前に受信した信号のＭＡＣヘッダの送信元アドレスである。
フィールド「特徴量」のサブフィールド「サブバンド１」などには干渉抑圧部１７によって測定された対応する無線局に関する干渉信号のサブバンドの特徴量が格納される。
【０１０８】
例えば、自局が周辺端末アドレス“Ｓ”の無線局と無線通信を行っている場合、特徴量記憶部１６ａは端末リスト記憶部２５から抑圧対象端末リスト“Ａ，Ｂ”が入力される。特徴量記憶部１６ａは抑圧対象端末リスト“Ａ，Ｂ”から一つを選択し、選択した周辺端末アドレスの特徴量を干渉抑圧部１７へ出力する。
ＭＡＣ制御部１８ａは、復調データからＰＨＹヘッダの読み出し及びＭＡＣヘッダの読み出しを行い、ＭＡＣヘッダの送信元アドレスを特徴量記憶部１６ａ及び端末リスト記憶部２５へ出力する。
【０１０９】
ＭＡＣ制御部１８ａは、干渉抑圧部１７に対して動作モードの切り替えを指示するための制御信号を出力することによって、干渉抑圧部１７の動作モードを制御する。
ＭＡＣ制御部１８ａは干渉抑圧部１７から入力される復調データのＭＡＣヘッダの宛先アドレスが自局のＭＡＣアドレスに一致していると判定すると、干渉抑圧部１７に対して「干渉抑圧モード」への切り替えを指示するための制御信号を出力する。その後、ＭＡＣ制御部１８ａは、ＭＡＣヘッダの宛先アドレスが自局のＭＡＣアドレスに一致する復調データの干渉抑圧部１７からの入力が終了すると、干渉抑圧部１７に対して「干渉測定モード」への切り替えを指示するための制御信号を出力する。
【０１１０】
ＭＡＣ制御部１８ａは、通信相手の無線局などから第２周辺端末リストを入手するための入手処理を行い、入手した第２周辺端末リストを端末リスト記憶部２５へ出力する。
＜干渉測定処理及び干渉抑圧処理＞
図１２の無線局（受信局）３ｂが行う干渉測定処理及び干渉抑圧処理について図１５を参照しつつ説明する。図１５は図１２の無線局３ｂが行う干渉測定処理及び干渉抑圧処理の流れを示すフローチャートである。なお、無線局３ｂと無線通信を行う通信相手局（送信局３ａ）などでも同じ処理手順を実行する。
【０１１１】
ＭＡＣ制御部１８ａは、干渉抑圧部１７の動作モードを「干渉測定モード」に設定するための制御を行う（ステップＳ６１）。干渉抑圧部１７は、動作モードが「干渉測定モード」に設定され、ＲＦ部１３−１，・・・，１３−ｋから入力されるベースバンド信号の特徴量を測定するとともに、ベースバンド信号を復調して復調データをＭＡＣ制御部１８ａへ出力する（ステップＳ６２）。
【０１１２】
ＭＡＣ制御部１８ａは、干渉抑圧部１７から入力される復調データからＰＨＹヘッダやＭＡＣヘッダを取得する（ステップＳ６３）。
ＭＡＣ制御部１８ａは、取得したＭＡＣヘッダの宛先アドレスと自局のＭＡＣアドレスとを比較する（ステップＳ６４）。
比較の結果、両者が一致しなければ（ステップＳ６４：ＮＯ）、ＭＡＣ制御部１８ａは、受信中の信号を干渉信号と判定し、ＭＡＣヘッダ内の送信元アドレスを端末リスト記憶部２４へ出力する（ステップＳ６５）。
【０１１３】
ＭＡＣ制御部１８ａは、復調データ内のデータ長に基づいて受信中の信号の到来が終了したかを判定する（ステップＳ６６）。
受信中の信号が継続して到来していれば（ステップＳ６６：ＮＯ）、ＭＡＣ制御部１８ａはステップＳ６６の処理を継続する。
受信中の信号の到来が終了していれば（ステップＳ６６：ＹＥＳ）、端末リスト記憶部２５は、ＭＡＣ制御部１８ａから入力された送信元アドレスが端末リスト管理テーブルのフィールド「周辺端末アドレス」に登録されていなければ新規登録する。また、端末リスト記憶部２５はフィールド「周辺端末アドレス」の周辺端末アドレスが自局のＭＡＣアドレスに一致するレコードのフィールド「周辺端末リスト」にＭＡＣ制御部１８ａから入力された送信元アドレスが格納されていなければ当該送信元アドレスを追加する（ステップＳ６７）。
【０１１４】
特徴量記憶部１６ａは、ＭＡＣ制御部１８ａから入力された送信元アドレスにフィールド「周辺端末アドレス」の周辺端末アドレスが一致するレコードがあれば、その一致するレコードのフィールド「特徴量」の格納内容を干渉測定部１７から入力される特徴量に更新する。また、特徴量記憶部１６ａは、一致するレコードがなければ、フィールド「周辺端末アドレス」及び「特徴量」にＭＡＣ制御部１８ａから入力された送信元アドレス及び干渉抑圧部１７から入力された特徴量を新規登録する（ステップＳ６８）。
【０１１５】
ステップＳ６４における比較の結果、両者が一致すれば（ステップＳ６４：ＹＥＳ）、ＭＡＣ制御部１８ａは受信中の信号が希望信号であると判断する（ステップＳ６９）。
ＭＡＣ制御部１８ａは、干渉抑圧部１７の動作モードを「干渉抑圧モード」に切り替えるための制御を行う。これにより、干渉抑圧部１７は動作モードが「干渉測定モード」から「干渉抑圧モード」に切り替わる（ステップＳ７０）。
【０１１６】
端末リスト記憶部２５は、端末リスト管理テーブルにおいて、ＭＡＣ制御部１８ａから入力された送信元アドレスに、フィールド「周辺端末アドレス」の格納内容が一致するレコードを検索する。そして、端末リスト記憶部２５は、一致したレコードのフィールド「抑圧対象端末リスト」に格納された抑圧対象端末リストを特徴量記憶部１６ａへ出力する（ステップＳ７１）。
【０１１７】
特徴量記憶部１６ａは、端末リスト記憶部２５から入力された抑圧対象端末リストに列挙されたＭＡＣアドレスの中から一のＭＡＣアドレスを選定する。特徴量記憶部１６ａは、特徴量管理テーブルにおいて、選定したＭＡＣアドレスに、フィール「周辺端末アドレス」の格納内容が一致するレコードを検索する。そして、特徴量記憶部１６ａは、一致したレコードのフィールド「特徴量」に格納された特徴量を干渉抑圧部１７へ出力する（ステップＳ７２）。
【０１１８】
干渉抑圧部１７は、特徴量記憶部１６ａから入力される特徴量に基づいて、ＲＦ部１３−１，・・・，１３−ｋから入力されるベースバンド信号から干渉信号の抑圧を行い、抑圧後の信号を復調して復調データをＭＡＣ制御部１８ａへ出力する（ステップＳ７３）。
ＭＡＣ制御部１８ａは、復調データ内のデータ長に基づいて受信中の信号の到来が終了したかを判定する（ステップＳ７４）。
【０１１９】
受信中の信号が継続して到来していれば（ステップＳ７４：ＮＯ）、ステップＳ７３の処理に戻って、干渉抑圧部１７はベースバンド信号から干渉信号の抑圧等を継続して行う。
受信中の信号の到来が終了していれば（ステップＳ７４：ＹＥＳ）、ステップＳ６１の処理に戻って、ＭＡＣ制御部１８ａは、干渉抑圧部１７の動作モードを「干渉測定モード」に切り替えるための制御を行い、干渉抑圧部１７は「干渉測定モード」の動作を開始する。
【０１２０】
＜抑圧対象識別処理＞
図１２の無線局（受信局）３ｂが行う抑圧対象識別処理について図１６を参照しつつ説明する。図１６は無線局３ｂが行う抑圧対象識別処理の流れを示すフローチャートである。なお、無線局３ｂと無線通信を行う通信相手局（送信局３ａ）などでも同じ処理手順を実行する。
【０１２１】
ＭＡＣ制御部１８ａは、所定の時間単位でＲＴＩ要求フレームを送信するため、経過時間を監視して、ＲＴＩ要求フレームの送信を行うかを判定する（ステップＳ８１）。
ＲＴＩ要求フレームの送信を決定すると（ステップＳ８１：ＹＥＳ）、ＭＡＣ制御部１８ａは、端末リスト記憶部２５内の端末リスト管理テーブルを参照して、フィールド「周辺端末アドレス」の周辺端末アドレスが自局のＭＡＣアドレスに一致するレコードのフィールド「周辺端末リスト」の周辺端末リスト（第１周辺端末リスト）を読み出す。そして、ＭＡＣ制御部１８ａは、第１周辺端末リストを格納したＲＴＩ要求フレームを作成し、作成されたＲＴＩ要求フレームがＲＦ部２０、スイッチ回路１２及びアンテナ１１−１を介して高周波信号となって送信される（ステップＳ８２）。
【０１２２】
ＭＡＣ制御部１８ａは、ステップＳ８２で送信したＲＴＩ要求フレームの応答としてのＲＴＩ応答フレームを通信相手局から受信したかを判定する（ステップＳ８３）。ＲＴＩ応答フレームを受信するまで（ステップＳ８３：ＮＯ）、ＭＡＣ制御部１８ａは通信相手局からのＲＴＩ応答フレームの受信を監視する。ＲＴＩ応答フレームには、通信相手局の第２周辺端末リストが含まれている。第２周辺端末リストは、通信相手局の端末リスト記憶部２５内の端末リスト管理テーブルのフィールド「周辺端末アドレス」の周辺端末アドレスが当該通信相手局のＭＡＣアドレスに一致するレコードのフィールド「周辺端末リスト」の周辺端末リストである。
【０１２３】
ＲＴＩ応答フレームを受信すると（ステップＳ８３：ＹＥＳ）、ＭＡＣ制御部１８ａはＲＴＩ応答フレームから第２周辺端末リストを読み出す（ステップＳ８４）。
ＭＡＣ制御部１８ａは、読み出した第２周辺端末リストを端末リスト記憶部２５へ出力する。端末リスト記憶部２５は、端末リスト管理テーブルのフィールド「周辺端末アドレス」の周辺端末アドレスが通信相手局のＭＡＣアドレスに一致するレコードのフィールド「周辺端末リスト」の格納内容を第２周辺端末リストに更新する（ステップＳ８５）。
【０１２４】
端末リスト記憶部２５は、端末リスト管理テーブルに格納されている第１周辺端末リスト及びＭＡＣ制御部１８ａから入力される第２周辺端末リストを抑圧対象識別部１５ａへ出力する。抑圧対象識別部１５ａは、第１周辺端末リストと第２周辺端末リストとを比較する（ステップＳ８６）。
抑圧対象識別部１５ａは、比較の結果に基づいて、通信相手局の抑圧対象外端末リストを作成し、端末リスト記憶部２５へ出力する。端末リスト記憶部２５は、端末リスト管理テーブルのフィールド「周辺端末アドレス」の周辺端末アドレスが通信相手局のＭＡＣアドレスに一致するレコードのフィールド「抑圧対象外端末リスト」の格納内容を、抑圧対象識別部１５ａから入力される抑圧対象外端末リストに更新する（ステップＳ８７）。
【０１２５】
抑圧対象識別部１５ａは、比較の結果に基づいて、通信相手局の抑圧対象端末リストを作成し、端末リスト記憶部２５へ出力する。端末リスト記憶部２５は、端末リスト管理テーブルのフィールド「周辺端末アドレス」の周辺端末アドレスが通信相手局のＭＡＣアドレスに一致するレコードのフィールド「抑圧対象端末リスト」の格納内容を、抑圧対象識別部１５ａから入力される抑圧対象端末リストに更新する（ステップＳ８８）。
【０１２６】
その後、ステップＳ８１の処理に戻る。
ステップＳ８１の判定ステップで、ＲＴＩ要求フレームを送信しないと判定されると（ステップＳ８１：ＮＯ）、ＭＡＣ制御部１８ａは、通信相手局からＲＴＩ要求フレームを受信したかを判定する（ステップＳ８９）。ＲＴＩ要求フレームを受信していない場合には（ステップＳ８９：ＮＯ）、ステップＳ８１の処理に戻る。
【０１２７】
ＲＴＩ要求フレームを受信すると（ステップＳ８９：ＹＥＳ）、ＭＡＣ制御部１８ａはＲＴＩ要求フレームから第２周辺端末リストを読み出す（ステップＳ９０）。
ＭＡＣ制御部１８ａは、読み出した第２周辺端末リストを端末リスト記憶部２５へ出力する。端末リスト記憶部２５は、端末リスト管理テーブルのフィールド「周辺端末アドレス」の周辺端末アドレスが通信相手局のＭＡＣアドレスに一致するレコードのフィールド「周辺端末リスト」の格納内容を第２周辺端末リストの内容に更新する（ステップＳ９１）。
【０１２８】
端末リスト記憶部２５は、端末リスト管理テーブルに格納されている第１周辺端末リスト及びＭＡＣ制御部１８ａから入力される第２周辺端末リストを抑圧対象識別部１５ａへ出力する。抑圧対象識別部１５ａは、第１周辺端末リストと第２周辺端末リストとを比較する（ステップＳ９２）。
抑圧対象識別部１５ａは、比較の結果に基づいて、通信相手局の抑圧対象外端末リストを作成し、端末リスト記憶部２５へ出力する。端末リスト記憶部２５は、端末リスト管理テーブルのフィールド「周辺端末アドレス」の周辺端末アドレスが通信相手局のＭＡＣアドレスに一致するレコードのフィールド「抑圧対象外端末リスト」の格納内容を、抑圧対象識別部１５ａから入力される抑圧対象外端末リストに更新する（ステップＳ９３）。
【０１２９】
抑圧対象識別部１５ａは、比較の結果に基づいて、通信相手局の抑圧対象端末リストを作成し、端末リスト記憶部２５へ出力する。端末リスト記憶部２５は、端末リスト管理テーブルのフィールド「周辺端末アドレス」の周辺端末アドレスが通信相手局のＭＡＣアドレスに一致するレコードのフィールド「抑圧対象端末リスト」の格納内容を、抑圧対象識別部１５ａから入力される抑圧対象端末リストに更新する（ステップＳ９４）。
【０１３０】
ＭＡＣ制御部１８ａは、端末リスト記憶部２５内の端末リスト管理テーブルを参照して、フィールド「周辺端末アドレス」の周辺端末アドレスが自局のＭＡＣアドレスに一致するレコードのフィールド「周辺端末リスト」から第１周辺端末リストを読み出す。そして、ＭＡＣ制御部１８ａは、第１周辺端末リストを格納したＲＴＩ応答フレームを作成し、作成されたＲＴＩ応答フレームがＲＦ部２０、スイッチ回路１２及びアンテナ１１−１を介して高周波信号となって送信される（ステップＳ９５）。
【０１３１】
その後、ステップＳ８１の処理に戻る。
なお、図１７（ａ）の場合、受信局３ｂは第１周辺端末リストの内容を含むＲＴＩ要求フレームｆ１を送信局３ａに対して送信する。これに対して、送信局３ａは第２周辺端末リストの内容を含むＲＴＩ応答フレームｆ２を受信局３ｂに対して送信する。この場合には、受信局３ｂにおいて、ステップＳ８１からステップＳ８８の処理が実行される。
【０１３２】
また、図１７（ｂ）の場合、送信局３ａは第２周辺端末リストの内容を含むＲＴＩ要求フレームｆ３を受信局３ｂに対して送信する。これに対して、受信局３ｂは第１周辺端末リストの内容を含むＲＴＩ応答フレームｆ４を送信局３ａに対して送信する。この場合には、受信局３ｂにおいて、ステップＳ８１、ステップＳ８９からステップＳ９５の処理が実行される。
【０１３３】
＜特徴量測定時の受信処理＞
図１０の無線通信システムの無線局（受信局）３ｂが行う特徴量測定時の受信処理の一例について図１８を参照しつつ説明する。図１８は図１０の無線局３ｂが行う特徴量測定時の受信処理の一例を示す図である。
但し、図１８において、無線局（送信局）３ａと無線局（受信局）３ｂとが無線通信を行っており、無線局（干渉局）３ｄと無線局（干渉局）４ａとが無線通信を行っているとする。
【０１３４】
また、無線局３ａ，３ｂ，３ｄ，４ａのＭＡＣアドレスを夫々“３ａ”，“３ｂ”，“３ｄ”，“４ａ”とする。無線局３ａは無線局３ｄの電波到達範囲内に位置するが、無線局４ａの電波到達範囲内に位置しない。無線局３ｂは無線局３ｄ及び無線局４ａの電波到達範囲内に位置する。
干渉局３ｄが、送信元アドレスが“３ｄ”、宛先アドレスが“４ａ”であるデータフレームｆ１１を送信する。送信局３ａ及び受信局３ｂは干渉局３ｄの電波到達範囲内に位置するので、送信局３ａ及び受信局３ｂは、データフレームｆ１１を受信し、データフレームｆ１１の送信元アドレスに基づいて端末リスト記憶部２５の記憶内容を更新するとともに、データフレームｆ１１に基づいて干渉信号の特徴量の測定を行う。
【０１３５】
干渉局４ａは、宛先アドレスが“３ｄ”であるＡＣＫフレームｆ１２を送信する。受信局３ｂは干渉局４ａの電波到達範囲内に位置するが、送信局３ａは干渉局４ａの電波到達範囲内に位置しないので、受信局３ｂのみがＡＣＫフレームｆ１２を受信する。
データフレームｆ１３及びＡＣＫフレームｆ１４においても同じ処理が行われる。
干渉局４ａは、送信元アドレスが“３ｄ”、宛先アドレスが“４ａ”であるＲＴＳ（Requestto Send）フレームｆ１５を送信する。受信局３ｂは干渉局４ａの電波到達範囲内に位置するが、送信局３ａは干渉局４ａの電波到達範囲内に位置しないので、受信局３ｂのみがＲＴＳフレームｆ１５を受信し、ＲＴＳフレームｆ１５の送信元アドレスに基づいて端末リスト記憶部２５の記憶内容を更新するとともに、ＲＴＳフレームｆ１５に基づいて干渉信号の特徴量の測定を行う。
【０１３６】
干渉局３ｄが、宛先アドレスが“４ａ”であるＣＴＳ（Clear To Send）フレームｆ１６を送信する。送信局３ａ及び受信局３ｂは干渉局３ｄの電波到達範囲内に位置するので、送信局３ａ及び受信局３ｂは、データフレームｆ１１を受信し、ＣＴＳフレームｆ１６に含まれるＮＡＶ（Network Allocation Vector）情報に基づく期間、送信が禁止される。
【０１３７】
干渉局４ａは、送信元アドレスが“４ａ”、宛先アドレスが“３ｄ”であるデータフレームｆ１７，ｆ１８を送信する。そして、干渉局４ａは、送信元アドレスが“４ａ”、宛先アドレスが“３ｄ”であるＢＡＲ（Block ACK Request）フレームｆ１９を送信する。受信局３ｂは干渉局４ａの電波到達範囲内に位置するが、送信局３ａは干渉局４ａの電波到達範囲内に位置しないので、受信局３ｂのみがデータフレームｆ１７，ｆ１８及びＢＡＲフレームｆ１９を受信し、端末リスト記憶部２５の記憶内容の更新、及び、受信信号の特徴量の測定を行う。
【０１３８】
干渉局３ｄは、ＢＡＲフレームｆ１９の受信確認として、宛先アドレスが“４ａ”であるＢＡ（Block ACK）フレームｆ２０を送信する。これは、送信局３ａ及び受信局３ｂの双方によって受信される。
＜干渉抑圧時の受信処理＞
図１０の無線通信システムの無線局（受信局）３ｂの干渉抑圧時の受信処理の一例について図１９を参照しつつ説明する。図１９は図１０の無線局３ｂが行う干渉抑圧時の受信処理の一例を示す図である。
【０１３９】
但し、図１９において、無線局（送信局）３ａと無線局（受信局）３ｂとが無線通信を行っているとする。無線局３ａ，３ｂのＭＡＣアドレスを夫々“３ａ”，“３ｂ”とする。
送信局３ａは送信元アドレスが“３ａ”、宛先アドレスが“３ｂ”であるデータフレームｆ２１を送信し、受信局３ｂはデータフレームｆ２１を受信する。受信局３ｂは、宛先アドレス“３ｂ”が自局のＭＡＣアドレスであるので、動作モードを「干渉測定モード」から「干渉抑圧モード」に切り替え、データフレームｆ２１から干渉信号成分を抑圧する処理を行う。そして、受信局３ｂは、データフレーム２１の到来が終了すると、動作モードを「干渉抑圧モード」から「干渉測定モード」に切り替える。
【０１４０】
受信局３ｂは宛先アドレスが“３ａ”でＡＣＫフレームｆ２２を送信し、送信局３ａはＡＣＫフレームｆ２２を受信する。送信局３ａは、宛先アドレス“３ａ”が自局のＭＡＣアドレスであるので、動作モードを「干渉測定モード」から「干渉抑圧モード」に切り替え、ＡＣＫフレームｆ２２から干渉信号成分を抑圧する処理を行う。そして、受信局送信局３ａは、ＡＣＫフレーム２１の到来が終了すると、動作モードを「干渉抑圧モード」から「干渉測定モード」に切り替える。
【０１４１】
なお、データフレームｆ２３及びＡＣＫフレームｆ２４においても実質的に同じ処理が行われる。
≪補足≫
本発明は上記の実施の形態に限られるものではなく、例えば、次のようなものであってもよい。
【０１４２】
（１）上記の実施の形態では、干渉抑圧に用いる信号の特徴量は一つのみとして説明したが、これに限られるものではない。
例えば、干渉抑圧に用いる信号の特徴量の数を増やせば受信信号から干渉信号の抑圧をより効果的に行えるようになるが、アンテナの数が増えるとともに信号の特徴量の測定及び干渉信号の抑圧のための処理回路が大きくなり、コストの増大につながる。このため、干渉抑圧に用いる信号の特徴量の数は、干渉信号の抑圧能力とコストとから決めることが望ましい。
【０１４３】
なお、抑圧対象の送信源に関連した信号の特徴量の中から干渉抑圧に用いる信号の特徴量の選定の仕方は、最新に信号の特徴量の測定を行った信号の特徴量を選定するなど、どのようなものであってもよい。
（２）上記の第１の実施の形態に、干渉測定禁止期間内に到来した信号を送信した送信源を抑圧対象の信号源としない機能を付加してもよい。干渉測定禁止期間は、通信相手の無線局から希望信号を受信する可能性のある期間である。
【０１４４】
この場合、例えば、ステップＳ３７（「プリアンブルを検出？」）のＮＯとステップＳ３３（「抑圧対象の信号源と判定」）との間に、信号の到来タイミングが干渉測定禁止期間に含まれるかを判定するステップを設ける。そして、信号の到来タイミングが干渉測定禁止期間内であれば抑圧対象外の信号であるとして、受信中の信号の測定された特徴量の保存を行わない。一方、信号の到来タイミングが干渉測定禁止期間内でなければステップＳ３３の処理へ進む。これにより、干渉測定禁止期間に受信した希望信号の特徴量を用いて受信信号から干渉信号の抑圧を行うことが回避できる。
【０１４５】
例えば、ＨＣＣＡ（HCF Controlled Channel Access）では、受信局は送信局に対してＱｏＳ  ＣＦ−Ｐｏｌｌフレームを送信する。受信局が送信するＱｏＳ  ＣＦ−Ｐｏｌｌフレームには、受信局が送信権を与える送信局のＭＡＣアドレス及び送信権を与えた送信局が無線パケット信号を送信することができる期間（以下、送信許可期間と言う。）が格納されている。
【０１４６】
受信局からＱｏＳ  ＣＦ−Ｐｏｌｌフレームを受信した送信局は、ＱｏＳ  ＣＦ−Ｐｏｌｌフレームの内容から送信権を与えられたことを認識し、ＱｏＳ  ＣＦ−Ｐｏｌｌフレームの受信を終了してからＳＩＦＳ経過した時刻Ｔａにデータフレームの送信を開始し、遅くても時刻Ｔａから送信許可期間が経過した時刻Ｔｂにデータフレームの送信を終了する。
【０１４７】
データフレームを受信した受信局は、データフレームの受信を終了してからＳＩＦＳ経過後に、データフレームの受信確認を通知するためのＡＣＫフレームを送信局へ送信する。
この場合、受信局は、ＱｏＳ  ＣＦ−Ｐｏｌｌフレームを送信すると、時刻Ｔａから時刻Ｔｂまでの期間を干渉測定禁止期間に設定する。
【０１４８】
また、上記とは異なる例として、受信局は送信局に対してデータフレームを送信する。送信局はデータフレームを受信し、データフレームの受信を終了してからＳＩＦＳ経過した時刻ＴＡにデータフレームの受信確認を通知するためのＡＣＫフレームの送信を開始し、時刻ＴＢにＡＣＫフレームの送信を終了する。
この場合、受信局は、データフレームを送信すると、時刻ＴＡから時刻ＴＢまでの期間を干渉測定禁止期間に設定する。
【０１４９】
（３）上記の各実施の形態では、信号検出部１４による信号の到来の検出に、ベースバンド信号の受信電力の変動及びアンテナ間相関の変化を用いているが、何れか一方のみを用いてもよい。
（４）上記の第２の実施の形態では、受信局が送信局から第２周辺端末リストを入手するために、所定時間単位でＲＴＩ要求フレームの送信を行っているが、受信局が以前に信号を受信していなかった無線局から信号を受信したタイミングや、受信誤り率が一定値を超えたタイミングでＲＴＩ要求フレームを送信するなど、特にＲＴＩ要求フレームを送信するタイミングは限定されるものではない。
【０１５０】
（５）上記の第２の実施の形態では、受信局が送信局から第２周辺端末リストを入手するために、送信局と受信局との間でＲＴＩ要求フレームとＲＴＩ応答フレームとを送受信するようにしているが、これに限られるものではない。
例えば、図２０に一例を示すように、受信局３ｂは、宛先アドレスが送信局３ａのＭＡＣアドレスを示すＣＴＳ（Clearto Send）フレームｆ３１，ｆ３２を２回続けて送信する。送信局３ａは、宛先アドレスが自局のＭＡＣアドレスに一致するＣＴＳフレームｆ３１，ｆ３２を２回続けて受信すると、第２周辺端末リストの内容を格納したＲＴＩ応答フレームｆ３３を送信するようにしてもよい。
【０１５１】
この場合、ＣＴＳフレームｆ３１，ｆ３２には送信元アドレスが含まれないので、送信局３ａは宛先アドレスを示していないＲＴＩ応答フレームｆ３３を送信することになる。受信局３ｂは２つ目のＣＴＳフレームｆ３２を送信してから予め設定された時間が経過するまでにＲＴＩ応答フレームｆ３３を受信すれば、受信したＲＴＩ応答フレームを自局宛のＲＴＩ応答フレームであると判断するようにする。
【０１５２】
（６）上記の第２の実施の形態において、無線局(受信局)３ｂは、図１３に一例を示す端末リスト管理テーブルで周辺端末リストなどの情報を記憶する代わりに、図２１に一例を示す端末リスト管理テーブルで周辺端末リストなどの情報を記憶するようにしてもよい。
図２１に一例を示す端末リスト管理テーブルにおいて、フィールド「認識可能端末アドレス」には、自局のＭＡＣアドレス及び認識可能端末のＭＡＣアドレスが一つずつ格納される。なお、フィールド「認識可能端末アドレス」に格納される認識可能端末のＭＡＣアドレスは、自局が以前に受信した信号のＭＡＣヘッダの送信元アドレス及び宛先アドレス、つまり、当該信号を送信した無線局（送信局）のＭＡＣアドレス及び無線局（受信局）のＭＡＣアドレスである。
【０１５３】
フィールド「認識可能端末リスト」には、対応する認識可能端末アドレスの無線局が以前に受信した各信号のＭＡＣヘッダの送信元アドレス及び宛先アドレスが格納される。
フィールド「周辺端末リスト」には、対応する周辺端末アドレスの無線局が以前に受信した各信号のＭＡＣヘッダの送信元アドレスが格納される。
フィールド「隠れ端末リスト」には、隠れ端末のＭＡＣアドレスが格納される。対応する認識可能端末アドレスの無線局が、周辺の無線局間の信号の交換を盗み聞きし、返答要求信号のみを受信し、当該返答要求信号に対する返答信号を受信できなかった場合、返答要求信号の宛先アドレスが隠れ端末のＭＡＣアドレスである。
【０１５４】
なお、単純に、フィールド「隠れ端末リスト」に、対応するフィールド「認識可能端末リスト」のＭＡＣアドレスのうちフィールド「周辺端末アドレス」のＭＡＣアドレス以外のＭＡＣアドレスを格納するようにしてもよい。
フィールド「抑圧対象外端末リスト」には、対応する認識可能端末アドレスの無線局と無線通信を行って当該無線局から信号を受信する場合に、この信号に重畳する干渉信号を送信する可能性がない無線局のＭＡＣアドレスが格納される。
【０１５５】
フィールド「抑圧対象端末リスト」には、対応する認識可能端末アドレスの無線局と無線通信を行って当該無線局から信号を受信する場合に、この信号に重畳する干渉信号を送信する可能性がある無線局のＭＡＣアドレスが格納される。
（７）上記のように、各無線局が自局の周辺端末リストと隠れ端末リストとを記憶している場合、例えば、図２２に示す手順により、受信局３ｂは送信局３ａの周辺端末リストと隠れ端末リストとを取得することができる。
【０１５６】
干渉局３ｄは送信局３ａの周辺端末であり、干渉局４ａは送信局３ａの隠れ端末である。送信局３ａ、受信局３ｂ、干渉局３ｄ、及び干渉局４ａのＭＡＣアドレスを夫々“３ａ”、“３ｂ”、“３ｄ”及び“４ａ”とする。
受信局３ｂは、宛先アドレスが“３ａ”であるＣＴＳフレームｆ４１，ｆ４２を２回続けて送信する。送信局３ａは、宛先アドレスが“３ａ”であるＣＴＳフレームｆ４１，ｆ４２を２回続けて受信すると、自局が記憶している図２１の端末リスト管理テーブルから自局の周辺端末リストを読み出す。なお、読み出した周辺端末リストには、“３ｄ”が含まれているとする。
【０１５７】
送信局３ａは、送信元アドレスが“３ａ”で、宛先アドレスが周辺端末リストに含まれる“３ｄ”であるＲＴＳフレームｆ４３を送信する。
受信局３ｂは、２つ目のＣＴＳフレームｆ４２を送信してから予め設定された時間が経過するまでに受信したＲＴＳフレームｆ４３の宛先アドレスを送信局３ａの周辺端末のＭＡＣアドレスと判断する。
【０１５８】
また、受信局３ｂは、宛先アドレスが“３ａ”であるＣＴＳフレームｆ４４，ｆ４５を２回続けて送信する。送信局３ａは、宛先アドレスが“３ａ”であるＣＴＳフレームｆ４４，ｆ４５を２回続けて受信すると、自局が記憶している図２１の端末リスト管理テーブルから自局の隠れ端末リストを読み出す。なお、読み出した隠れ端末リストには、“４ａ”が含まれているとする。
【０１５９】
送信局３ａは、送信元アドレスが“３ａ”で、宛先アドレスが隠れ端末リストに含まれる“４ａ”である空のデータフレームｆ４６を送信する。
受信局３ｂは、２つ目のＣＴＳフレームｆ４５を送信してから予め設定された時間が経過するまでに受信したデータフレームｆ４６の宛先アドレスを送信局３ａの隠れ端末のＭＡＣアドレスと判断する。
【０１６０】
受信局３ｂは、２個のＣＴＳフレームを連続して送信することを繰り返すことによって、送信局３ａから当該送信局３ａの周辺端末リストの内容及び隠れ端末リストの内容の全てを入手することができる。
（８）上記の第２の実施の形態では、無線局（受信局）３ｂは、自局とは関係なく無線通信を行っている無線局間で送受信される信号を受信し、受信した信号に基づいて信号の特徴量を取得するようにしている。しかしながら、これに限らず、例えば、図２３に示すようにして、受信局３ｂは、送信局３ａに関連した抑圧対象端末リストに列挙された無線局からの信号の特徴量を測定するようにしてもよい。
【０１６１】
予め、受信局３ｂは図１７に示す交換手順で送信局３ａから第２周辺端末リストを取得し、第１周辺端末リストと第２周辺端末リストとに基づいて抑圧端末対象リストを作成しているとする。抑圧対象端末リストには、干渉局４ａ及び干渉局４ｂのＭＡＣアドレスが列挙されているとする。
送信局３ａ、受信局３ｂ、干渉局４ａ、及び干渉局４ｂのＭＡＣアドレスを夫々“３ａ”、“３ｂ”、“４ａ”及び“４ｂ”とする。
【０１６２】
受信局３ｂは、送信元アドレスが“３ｂ”であり、宛先アドレスが抑圧対象端末リストに列挙された“４ａ”であるＲＴＳフレームｆ５１を送信する。干渉局４ａは、宛先アドレスが“４ａ”であるＲＴＳフレームｆ５１を受信すると、宛先アドレスが“３ｂ”であるＣＴＳフレームを送信する。受信局３ｂは、宛先アドレスが“３ｂ”であるＣＴＳフレームｆ５２を受信すると、ＣＴＳフレームｆ５２に基づいて信号の特徴量を測定する。これによって、受信局３ｂは干渉局４ａから送信される信号の特徴量を取得する。
【０１６３】
受信局３ｂは、送信元アドレスが“３ｂ”であり、宛先アドレスが抑圧対象端末リストに列挙された“４ｂ”であるデータフレームｆ５３を送信する。干渉局４ｂは、宛先アドレスが“４ｂ”であるデータフレームｆ５３を受信すると、宛先アドレスが“３ｂ”であるＡＣＫフレームｆ５４を送信する。受信局３ｂは、宛先アドレスが“３ｂ”であるＡＣＫフレームｆ５４を受信すると、ＡＣＫフレームｆ５４に基づいて信号の特徴量を測定する。これによって、受信局３ｂは干渉局４ｂから送信される信号の特徴量を取得する。
【０１６４】
なお、他にも、図１１にフレームフォーマットを示したＲＴＩ要求フレーム及びＲＴＩ応答フレームを交換することによって周辺端末リストと隠れ端末リストとを交換することができる。
（９）上記の各実施の形態は、例えば、ＣＳＭＡ（Carrier Sense Multiple Access）方式を用いる無線ＬＡＮシステムの他、ＴＤＭＡ（Time Division Multiple Access）、ＦＤＭＡ（FrequencyDivision Multiple Access）、ＣＤＭＡ（Code Division MultipleAccess）、ＳＤＭＡ（Space Division Multiple Access）などの様々なアクセス方式を用いる無線通信システムに適用することができる。
【０１６５】
（１０）上記の各実施の形態の構成は、典型的には集積回路であるＬＳＩ（Large ScaleIntegration）として実現されてもよい。これらは、個別に１チップ化されてもよいし、各実施の形態の全ての構成または一部の構成を含むように１チップ化されてもよい。
ここでは、ＬＳＩとしたが、集積度の違いにより、ＩＣ（Integrated Circuit）、システムＬＳＩ、スーパーＬＳＩ、ウルトラＬＳＩと呼称されることもある。
【０１６６】
また、集積回路化の手法はＬＳＩに限られるものではなく、専用回路または汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【産業上の利用可能性】
【０１６７】
本発明は、特に、ＣＳＭＡ方式のようにランダムに無線パケット信号が送信される無線通信システムにおいて受信信号から希望信号に重畳した干渉信号を抑圧する受信局に利用することができる。
【図面の簡単な説明】
【０１６８】
【図１】第１の実施の形態の無線通信システムのシステム構成図。
【図２】図１の無線局間で送受信される無線パケット信号のフレームフォーマットを示す図。
【図３】図１の無線局の装置構成図。
【図４】図３の特徴量記憶部の記憶内容の一例を示す図。
【図５】図３の信号検出部の装置構成図。
【図６】図３の干渉抑圧部の装置構成図。
【図７】図３の無線局が行う干渉測定処理及び干渉抑圧処理の流れを示すフローチャート。
【図８】図３の無線局が行う抑圧対象識別処理の流れを示すフローチャート。
【図９】図１の無線局が行う受信処理の動作例を説明するための図。
【図１０】第２の実施の形態の無線通信システムのシステム構成図。
【図１１】図１０の無線局間で送受信されるRTI要求フレーム及びRTI応答フレームのフレームフォーマットを示す図。
【図１２】図１０の無線局の装置構成図。
【図１３】図１２の端末リスト記憶部の記憶内容の一例を示す図。
【図１４】図１２の特徴量記憶部の記憶内容の一例を示す図。
【図１５】図１２の無線局が行う干渉測定処理及び干渉抑圧処理の流れを示すフローチャート。
【図１６】図１２の無線局が行う抑圧対象識別処理の流れを示すフローチャート。
【図１７】図１０の無線局が他の無線局と周辺端末リストを交換する手順の一例を示す。
【図１８】図１０の無線局が行う特徴量測定時の受信処理の一例を示す図。
【図１９】図１０の無線局が行う干渉抑圧時の受信処理の一例を示す図。
【図２０】図１２の無線局が他の無線局と周辺端末リストを交換する他の手順を説明するための図。
【図２１】図１２の端末リスト記憶部の記憶内容の他の例を示す図。
【図２２】図１０の無線局が他の無線局と周辺端末リストを交換する手順を説明するための図。
【図２３】図１０の無線局が行う特徴量測定時の受信処理の他の例を示す図。
【符号の説明】
【０１６９】
１ａ，１ｂ，１ｃ，１ｄ，２ａ，２ｂ  無線局
１１−１，１１−ｋ  アンテナ
１２  スイッチ回路
１３−１，１３−ｋ  ＲＦ部
１４  信号検出部
１５  抑圧対象識別部
１６  特徴量記憶部
１７  干渉抑圧部
１８  ＭＡＣ制御部
１９  変調部
２０  ＲＦ部
【図１】
0005175718.tif 000002
【図２】
0005175718.tif 000003
【図３】
0005175718.tif 000004
【図４】
0005175718.tif 000005
【図５】
0005175718.tif 000006
【図６】
0005175718.tif 000007
【図７】
0005175718.tif 000008
【図８】
0005175718.tif 000009
【図９】
0005175718.tif 000010
【図１０】
0005175718.tif 000011
【図１１】
0005175718.tif 000012
【図１２】
0005175718.tif 000013
【図１３】
0005175718.tif 000014
【図１４】
0005175718.tif 000015
【図１５】
0005175718.tif 000016
【図１６】
0005175718.tif 000017
【図１７】
0005175718.tif 000018
【図１８】
0005175718.tif 000019
【図１９】
0005175718.tif 000020
【図２０】
0005175718.tif 000021
【図２１】
0005175718.tif 000022
【図２２】
0005175718.tif 000023
【図２３】
0005175718.tif 000024